(57)【要約】本願は、通信方法及び通信装置を提供する。方法は、変調及び符号化スキームＭＣＳに従って閾符号レートを決定することと、閾符号レートと、アップリンク制御情報ＵＣＩの生成されたビットの数とに従って、送信されるべきＵＣＩのビットの数を決定し、送信されるべきＵＣＩのビットの数がＵＣＩの生成されたビットの数以下であることと、送信されるべきＵＣＩを送信することとを含む。方法に従って、リソースは適切に割り当てられ得、ＵＣＩデータの有効な送信が確かにされる。これは、データ伝送の信頼性を改善すること及びリソース利用を改善することを助ける。
2021513275.tif 000002
【特許請求の範囲】
【請求項１】
アップリンク制御情報ＵＣＩがアップリンクデータなしで物理アップリンク共有チャネルで送信されるべきであるときに、変調及び符号化スキームＭＣＳ識別子に従って閾符号レートを決定することと、
前記閾符号レートと、前記ＵＣＩの生成されたビットの数とに従って、送信されるべきＵＣＩのビットの数を決定することであり、該送信されるべきＵＣＩのビットの数は前記ＵＣＩの前記生成されたビットの数以下である、ことと、
前記物理アップリンク共有チャネルで前記送信されるべきＵＣＩを送信することと
を有する通信方法。
【請求項２】
前記ＭＣＳ識別子に従って閾符号レートを決定することは、
前記ＭＣＳ識別子が第１範囲内にあるときに、前記ＭＣＳ識別子と、該ＭＣＳ識別子と第１符号レートとの間の予め定義された一対一対応とに従って、前記第１符号レートを決定することと、
前記第１符号レートを前記閾符号レートとして決定すること、又は
前記第１符号レート及びオフセットβに従って前記閾符号レートを決定することであり、前記オフセットβは１以上である、ことと
を有する、
請求項１に記載の通信方法。
【請求項３】
前記第１範囲は、前記ＭＣＳ識別子が０以上２８未満であるインターバルである、
請求項２に記載の通信方法。
【請求項４】
前記ＭＣＳ識別子に従って閾符号レートを決定することは、
前記ＭＳＣ識別子が第２範囲内にあるときに、前記ＭＣＳ識別子に従って変調次数を決定し、該変調次数と第１符号レートとの間の対応に従って前記第１符号レートを決定することと、
前記第１符号レートを前記閾符号レートとして決定すること、又は
前記第１符号レート及びオフセットβに従って前記閾符号レートを決定することであり、前記オフセットβは１以上である、ことと
を有する、
請求項１に記載の通信方法。
【請求項５】
前記変調次数と第１符号レートとの間の対応に従って前記第１符号レートを決定することは、
前記変調次数が複数の第１符号レートに対応するときに、該複数の第１符号レートの中の最大符号レートを前記第１符号レートとして決定すること、又は
前記変調次数が複数の第１符号レートに対応するときに、該複数の第１符号レートの中の最小符号レートを前記第１符号レートとして決定すること、又は
前記変調次数が複数の第１符号レートに対応するときに、第１指示情報に従って前記第１符号レートを決定すること
を有する、
請求項４に記載の通信方法。
【請求項６】
前記ＭＣＳ識別子に従って閾符号レートを決定することは、
前記ＭＣＳ識別子が第２範囲内にあるときに、前記ＭＣＳ識別子と、該ＭＣＳ識別子と第１符号レートとの間の予め定義された一対一対応とに従って、前記第１符号レートを決定することと、
前記第１符号レートを前記閾符号レートとして決定すること、又は
前記第１符号レート及びオフセットβに従って前記閾符号レートを決定することであり、前記オフセットβは１以上である、ことと
を有する、
請求項１に記載の通信方法。
【請求項７】
前記第２範囲は、前記ＭＣＳ識別子が２８以上であるインターバルである、
請求項４乃至６のうちいずれか一項に記載の通信方法。
【請求項８】
前記物理アップリンク共有チャネルで前記送信されるべきＵＣＩを送信することは、
アップリンクデータなしで前記物理アップリンク共有チャネルで前記送信されるべきＵＣＩを送信することを有する、
請求項１乃至７のうちいずれか一項に記載の通信方法。
【請求項９】
当該方法は、第２指示情報を受信することを更に有し、該第２指示情報は、アップリンクデータが前記物理アップリンク共有チャネルで送信されるべきでないことを示す、
請求項１乃至８のうちいずれか一項に記載の通信方法。
【請求項１０】
前記第２指示情報は、指示フィールドを有し、該指示フィールドは、アップリンクデータが前記物理アップリンク共有チャネルで送信されるべきでないことを示すよう０にセットされる、
請求項９に記載の方法。
【請求項１１】
アップリンク制御情報ＵＣＩのみが第１端末デバイスの物理アップリンク共有チャネルで運ばれるべきであるときに、変調及び符号化スキームＭＣＳ識別子に従って閾符号レートを決定することと、
前記閾符号レートに従って、受信されるべきＵＣＩのビットの数を決定することと、
前記物理アップリンク共有チャネルで前記第１端末デバイスから前記受信されるべきＵＣＩを受信することと
を有する通信方法。
【請求項１２】
前記ＭＣＳ識別子に従って閾符号レートを決定することは、
前記ＭＣＳ識別子が第１範囲内にあるときに、前記ＭＣＳ識別子と、該ＭＣＳ識別子と第１符号レートとの間の予め定義された一対一対応とに従って、前記第１符号レートを決定することと、
前記第１符号レートを前記閾符号レートとして決定すること、又は
前記第１符号レート及びオフセットβに従って前記閾符号レートを決定することであり、前記オフセットβは１以上である、ことと
を有する、
請求項１１に記載の通信方法。
【請求項１３】
前記第１範囲は、前記ＭＣＳ識別子が０以上２８未満であるインターバルである、
請求項１２に記載の通信方法。
【請求項１４】
前記ＭＣＳ識別子に従って閾符号レートを決定することは、
前記ＭＳＣ識別子が第２範囲内にあるときに、前記ＭＣＳ識別子に従って変調次数を決定し、該変調次数と第１符号レートとの間の対応に従って前記第１符号レートを決定することと、
前記第１符号レートを前記閾符号レートとして決定すること、又は
前記第１符号レート及びオフセットβに従って前記閾符号レートを決定することであり、前記オフセットβは１以上である、ことと
を有する、
請求項１１に記載の通信方法。
【請求項１５】
前記変調次数と第１符号レートとの間の対応に従って前記第１符号レートを決定することは、
前記変調次数が複数の第１符号レートに対応するときに、該複数の第１符号レートの中の最大符号レートを前記第１符号レートとして決定すること、又は
前記変調次数が複数の第１符号レートに対応するときに、該複数の第１符号レートの中の最小符号レートを前記第１符号レートとして決定すること、又は
前記変調次数が複数の第１符号レートに対応するときに、第１指示情報に従って前記第１符号レートを決定すること
を有する、
請求項１４に記載の通信方法。
【請求項１６】
前記ＭＣＳ識別子に従って閾符号レートを決定することは、
前記ＭＣＳ識別子が第２範囲内にあるときに、前記ＭＣＳ識別子と、該ＭＣＳ識別子と第１符号レートとの間の予め定義された一対一対応とに従って、前記第１符号レートを決定することと、
前記第１符号レートを前記閾符号レートとして決定すること、又は
前記第１符号レート及びオフセットβに従って前記閾符号レートを決定することであり、前記オフセットβは１以上である、ことと
を有する、
請求項１１に記載の通信方法。
【請求項１７】
前記第２範囲は、前記ＭＣＳ識別子が２８以上であるインターバルである、
請求項１４乃至１６のうちいずれか一項に記載の通信方法。
【請求項１８】
前記物理アップリンク共有チャネルで前記第１端末デバイスから前記受信されるべきＵＣＩを受信することは、前記第１端末デバイスからのアップリンクデータなしで前記物理アップリンク共有チャネルで前記第１端末デバイスから前記受信されるべきＵＣＩを受信することを有する、
請求項１１乃至１７のうちいずれか一項に記載の通信方法。
【請求項１９】
当該方法は、第２指示情報を送信することを更に有し、該第２指示情報は、アップリンクデータが前記物理アップリンク共有チャネルで運ばれるべきでないことを示す、
請求項１１乃至１８のうちいずれか一項に記載の通信方法。
【請求項２０】
前記第２指示情報は、指示フィールドを有し、該指示フィールドは、アップリンクデータが前記物理アップリンク共有チャネルで運ばれるべきでないことを示すよう０にセットされる、
請求項１９に記載の方法。
【請求項２１】
通信装置であって、
プロセッサを有し、該プロセッサはメモリへ結合され、該メモリは、プログラム又は命令を記憶するよう構成され、該プログラム又は命令は、前記プロセッサによって実行される場合に、当該装置に、請求項１乃至１０のうちいずれか一項に記載の方法を実行させる、
通信装置。
【請求項２２】
プログラム命令及びデータを記憶するよう構成される前記メモリを更に有する、
請求項２１に記載の装置。
【請求項２３】
記憶媒体であって、
当該記憶媒体にはコンピュータプログラム又は命令が記憶されており、該コンピュータプログラム又は命令は、実行される場合に、コンピュータに、請求項１乃至１０のうちいずれか一項又は請求項１１乃至２０のうちいずれか一項に記載の方法を実行させる、
記憶媒体。
【請求項２４】
通信装置であって、
プロセッサを有し、該プロセッサはメモリへ結合され、該メモリは、プログラム又は命令を記憶するよう構成され、該プログラム又は命令は、前記プロセッサによって実行される場合に、当該装置に、請求項１１乃至２０のうちいずれか一項に記載の方法を実行させる、
通信装置。
【請求項２５】
プログラム命令及びデータを記憶するよう構成される前記メモリを更に有する、
請求項２４に記載の装置。
【請求項２６】
決定モジュール及びトランシーバモジュールを有し、
前記決定モジュールは、アップリンク制御情報ＵＣＩがアップリンクデータなしで物理アップリンク共有チャネルで送信されるべきであるときに、変調及び符号化スキームＭＣＳ識別子に従って閾符号レートを決定し、該閾符号レートと、前記ＵＣＩの生成されたビットの数とに従って、送信されるべきＵＣＩのビットの数を決定するよう構成され、前記送信されるべきＵＣＩのビットの数は、前記ＵＣＩの前記生成されたビットの数以下であり、
前記トランシーバモジュールは、前記物理アップリンク共有チャネルで前記送信されるべきＵＣＩを送信するよう構成される、
通信装置。
【請求項２７】
決定モジュール及びトランシーバモジュールを有し、
前記決定モジュールは、アップリンク制御情報ＵＣＩのみが第１端末デバイスの物理アップリンク共有チャネルで運ばれるべきであるときに、変調及び符号化スキームＭＣＳ識別子に従って閾符号レートを決定し、該閾符号レートに従って、受信されるべきＵＣＩのビットの数を決定するよう構成され、
前記トランシーバモジュールは、前記物理アップリンク共有チャネルで前記第１端末デバイスから前記受信されるべきＵＣＩを受信するよう構成される、
通信装置。
【請求項２８】
請求項１乃至２０のうちいずれか一項に記載の方法を実行するよう構成される通信装置。
【発明の詳細な説明】
【技術分野】
【０００１】
本願は、通信分野に、より具体的には、アップリンク制御情報送信方法及び装置と、アップリンク制御情報受信方法及び装置とに関する。
【背景技術】
【０００２】
アップリンク制御情報（ＵＣＩ）は、主に、３つの部分：ハイブリッド自動再送要求確認応答（hybrid  automatic  repeat  request  acknowledgement，ＨＡＲＱ−ＡＣＫ）、ＣＳＩパート１、及びＣＳＰパート２に分けられる。ＣＳＩパート２のデータの量は、大いに増大している。
【０００３】
リソースをスケジューリングするときに、基地局は、前もってＣＳＩパート２のデータの量を取得することができない場合がある。結果として、スケジューリングされたリソースは不十分である。この場合に、ＣＳＩパート２は、割り当てられたリソースで有効に運ばれ得ない。そのため、ＣＳＩパート２のデータの量の一部又は全部は破棄される必要がある。既存の技術的解決法では、ＣＳＩパート２の符号レート閾値は、アップリンクデータの符号レートと、値βとに従って、取得される。ＣＳＩパート２は、ＣＳＩパート２の符号レートが閾値よりも低くなるまで、優先度に従って破棄される。しかし、アップリンクデータがないときには、限られたリソースでＣＳＩパート２のデータを有効に運ぶ方法が、依然として更に研究される必要がある。
【発明の概要】
【０００４】
本願は、ＵＣＩデータの有効な送信を確かにし、それによってリソース利用を改善するように、アップリンク制御情報送信方法及び装置と、アップリンク制御情報受信方法及び装置とを提供する。
【０００５】
第１の態様に従って、通信方法が提供される。方法は：
変調及び符号化スキーム（ＭＣＳ）識別子に従って閾符号レートを決定することと；閾符号レートと、ＵＣＩの生成されたビットの数とに従って、送信されるべきＵＣＩのビットの数を決定することであり、送信されるべきＵＣＩのビットの数はＵＣＩの生成されたビットの数以下である、ことと；送信されるべきＵＣＩを送信することと
を含む。
【０００６】
上記の技術的解決法に従って、アップリンク制御情報（ＵＣＩ）のみが物理アップリンクチャネルで送信されるべきであるときに、端末デバイスは、ネットワークデバイスによって割り当てられているリソースに従って、ＣＳＩパート２の一部又は全部などの、ＵＣＩの部分を破棄し、有効に運ばれ得るＵＣＩのビットの量のみを送信し得る。そのため、端末デバイスは、ＵＣＩデータの有効な送信を確かにするように、リソースを適切に割り当てることができる。その上、物理アップリンクチャネルが十分なリソースを有しているときには、端末デバイスは、リソース利用を改善するように、物理アップリンクチャネルで同時にアップリンク制御情報及びアップリンクデータを更に送信してもよい。
【０００７】
第１の態様を参照して、第１の態様のいくつかの実施で、
ＭＣＳ識別子に従って閾符号レートを決定することは：
ＭＣＳ識別子が第１範囲内にある場合に、ＭＣＳ識別子と、ＭＣＳ識別子と第１符号レートとの間の予め定義された一対一対応とに従って、前記第１符号レートを決定することと；第１符号レートを閾符号レートとして決定すること；又は第１符号レート及びオフセットβに従って閾符号レートを決定することであり、オフセットβは１以上である、ことと
を含む。
【０００８】
任意に、第１範囲は、ＭＣＳ識別子が０以上２８未満であるインターバルである。
【０００９】
具体的に、例えば、ＭＣＳ識別子の値が０から２７の範囲（０及び２７を含む）に及ぶとき、ＭＣＳ識別子と第１符号レートとの間の対応は、プロトコルを使用することによって定義されてよい。ＭＣＳ識別子及び第１符号レートは一対一対応にあり、１つのＭＳＣ識別子に対応する１つの符号レートが、符号レート閾値を計算するために第１符号レートとして使用され、それから、閾符号レートが求められる。このようにして、ＣＳＩパート２の一部又は全部などの、ＵＣＩの部分は、ネットワークデバイスによって割り当てられているリソースに従って破棄されてよく、有効に運ばれ得るＵＣＩのビットの量のみが送信され、それによってリソース利用は改善される。これは、通信システムの伝送性能を改善することを助ける。
【００１０】
第１の態様及び上記の実施を参照して、いくつかの可能な実施において、ＭＣＳ識別子に従って閾符号レートを決定することは：
ＭＳＣ識別子が第２範囲内にある場合に、ＭＣＳ識別子に従って変調次数を決定し、変調次数と第１符号レートとの間の対応に従って第１符号レートを決定することと；
第１符号レートを閾符号レートとして決定すること；又は
第１符号レート及びオフセットβに従って閾符号レートを決定することであり、オフセットβは１以上である、ことと
を含む。
【００１１】
第１の態様及び上記の実施を参照して、いくつかの可能な実施において、変調次数と第１符号レートとの間の対応に従って第１符号レートを決定することは：
変調次数が複数の第１符号レートに対応する場合に、複数の第１符号レートの中の最大符号レートを第１符号レートとして決定すること；又は
変調次数が複数の第１符号レートに対応する場合に、複数の第１符号レートの中の最小符号レートを第１符号レートとして決定すること；又は
変調次数が複数の第１符号レートに対応する場合に、第１指示情報に従って第１符号レートを決定すること
を含む。
【００１２】
任意に、ＭＣＳ識別子の値が２８から３１の範囲（２８及び３１を含む）に及ぶときに、第１符号レートは、ＭＣＳ識別子と変調次数との間の対応を定義し、それから変調次数と符号レートとの間の対応に従って、決定されてよい。変調次数は４つの値：１、２、４、及び６を有しており、各値は複数の符号レートに対応することが、ここで留意されるべきである。任意に、変調次数が複数の符号レートに対応する場合に、複数の符号レートの中の最大又は最小の符号レートが第１符号レートとして決定される。代替的に、ＤＣＩにおいて運ばれる第１指示情報は、ある符号レートを第１符号レートとして示すために使用される。このようにして、伝送効率は改善可能であり、かつ、リソース利用は改善可能である。これは、通信システムの伝送性能を改善することを助ける。
【００１３】
第１の態様及び上記の実施を参照して、いくつかの可能な実施において、ＭＣＳ識別子に従って閾符号レートを決定することは：
ＭＣＳ識別子が第２範囲内にある場合に、ＭＣＳ識別子と、ＭＣＳ識別子と第１符号レートとの間の予め定義された一対一対応とに従って、前記第１符号レートを決定することと；
第１符号レートを閾符号レートとして決定すること；又は
第１符号レート及びオフセットβに従って閾符号レートを決定することであり、オフセットβは１以上である、ことと
を含む。
【００１４】
任意に、第２範囲は、ＭＣＳ識別子が２８よりも大きいインターバルである。
【００１５】
現在、ＭＣＳ識別子の値が２８から３１の範囲（２８及び３１を含む）に及ぶ場合に、それは、データ再送ケースとして定義される。本願のこの実施形態で、第２範囲におけるＭＣＳ識別子と第１符号レートとの間の一対一対応は、第１符号レートを決定するために、プロトコルを使用することによって定義される。このようにして、伝送効率は改善可能であり、かつ、リソース利用は改善可能である。これは、通信システムの伝送性能を改善することを助ける。
【００１６】
第１の態様及び上記の実施を参照して、いくつかの可能な実施において、方法は：ＵＣＩのみが物理アップリンクチャネルで送信されるべきであるかどうかを判定することを更に含む。
【００１７】
具体的に、ネットワークデバイスからのＤＣＩによってスケジューリングされたリソースは、データ及び／又はＵＣＩを送信するために使用される可能性があり、ネットワークデバイスは、アップリンクデータが送信されるべきであるかどうかを端末デバイスに知らしめる必要がある。ＵＣＩのみが送信され、アップリンクデータが送信される必要がない場合には、端末デバイスはＴＢを生成せず、全てのリソースをＵＣＩに割り当てる。アップリンクデータ及びＵＣＩの両方が送信される場合には、端末デバイスは、アップリンクデータ及びＵＣＩの両方にリソースを割り当てる必要がある。
【００１８】
任意に、第２指示情報に従って、ＵＣＩのみが物理アップリンクチャネルで送信されるべきであるかどうかは決定され、このとき、第２指示情報は、ＤＣＩにおいて運ばれる情報であり、あるいは、
ＭＣＳ識別子、冗長性バージョン（ＲＶ）インジケータ、及び新規データインジケータ（ＮＤＩ）に従って、ＵＣＩのみが物理アップリンクチャネルで送信されるべきであるかどうかは決定される。
【００１９】
上記の技術的解決法に従って、アップリンク制御情報（ＵＣＩ）のみが物理アップリンクチャネルで送信されるべきであることは、例えば１ビットの指示情報であってよい、ＤＣＩにおいて運ばれる指示情報、又は代替的に、ＭＣＩ識別子、冗長性バージョン（ＲＶ）インジケータ、及び新規データインジケータ（ＮＤＩ）、を例えば使用することによって、決定される。端末デバイスがＵＣＩのみを送信すると決定されるとき、伝送効率を改善しかつリソース利用を改善するために、全てのリソースは、ＵＣＩを送信するよう端末デバイスへ割り当てられる。これは、通信システムの伝送性能を改善することを助ける。
【００２０】
第２の態様に従って、通信方法が提供される。方法は：
変調及び符号化スキーム（ＭＣＳ）識別子に従って閾符号レートを決定することと；閾符号レートと、アップリンク制御情報（ＵＣＩ）の生成されたビットの数とに従って、受信されるべきＵＣＩのビットの数を決定することであり、受信されるべきＵＣＩのビットの数はＵＣＩの生成されたビットの数以下である、ことと；受信されるべきＵＣＩを受信することと
を含む。
【００２１】
上記の技術的解決法に従って、アップリンク制御情報（ＵＣＩ）のみが物理アップリンクチャネルで送信されるべきであるときに、ネットワークデバイスは、端末デバイスが、ＣＳＩパート２の一部又は全部などの、ＵＣＩの部分を破棄すると、割り当てられているリソースに従って決定し、それにより、ネットワークデバイスは、ＵＣＩのビットの数を有効に受信することができる。これは、データ伝送の信頼性を改善し、そのためリソース利用を改善することを助ける。全体として、これは、通信システムの伝送性能を改善することを助ける。
【００２２】
第２の態様を参照して、いくつかの可能な実施において、ＭＣＳ識別子に従って閾符号レートを決定することは：
ＭＣＳ識別子が第１範囲内にある場合に、ＭＣＳ識別子と第１符号レートとの間の予め定義された一対一対応に従って第１符号レートを決定することと；
第１符号レートを閾符号レートとして決定すること；又は
第１符号レート及びオフセットβに従って閾符号レートを決定することであり、オフセットβは１以上である、ことと
を含む。
【００２３】
任意に、第１範囲は、ＭＣＳ識別子が０以上２８未満であるインターバルである。
【００２４】
第２の態様及び上記の実施を参照して、いくつかの可能な実施において、ＭＣＳ識別子に従って閾符号レートを決定することは：ＭＳＣ識別子が第２範囲内にある場合に、ＭＣＳ識別子に従って変調次数を決定し、変調次数と第１符号レートとの間の対応に従って第１符号レートを決定することと；
第１符号レートを閾符号レートとして決定すること；又は
第１符号レート及びオフセットβに従って閾符号レートを決定することであり、オフセットβは１以上である、ことと
を含む。
【００２５】
任意に、変調次数が複数の第１符号レートに対応するときに、複数の第１符号レートの中の最大符号レートが第１符号レートとして決定され；あるいは、
変調次数が複数の第１符号レートに対応する場合に、複数の第１符号レートの中の最小符号レートが第１符号レートとして決定され；あるいは、
変調次数が複数の第１符号レートに対応する場合に、第１符号レートは第１指示情報に従って決定される。
【００２６】
第２の態様及び上記の実施を参照して、いくつかの可能な実施において、ＭＣＳ識別子に従って閾符号レートを決定することは：ＭＣＳ識別子が第２範囲内にあるときに、ＭＣＳ識別子と第１符号レートとの間の予め定義された一対一対応に従って第１符号レートを決定することと；
第１符号レートを閾符号レートとして決定すること；又は
第１符号レート及びオフセットβに従って閾符号レートを決定することであり、オフセットβは１以上である、ことと
を含む。
【００２７】
任意に、第２範囲は、ＭＣＳ識別子が２８よりも大きいインターバルである。
【００２８】
第２の態様及び上記の実施を参照して、いくつかの可能な実施において、方法は、ＵＣＩのみが物理アップリンクチャネルで受信されるかどうかを判定することを更に含む。
【００２９】
任意に、第２指示情報に従って、ＵＣＩのみが物理アップリンクチャネルで受信されるかどうかは決定され、このとき、第２指示情報は、ＤＣＩにおいて運ばれる情報であり、あるいは、ＭＣＳ識別子、冗長性バージョン（ＲＶ）インジケータ、及び新規データインジケータ（ＮＤＩ）に従って、ＵＣＩのみが物理アップリンクチャネルで受信されるかどうかは決定される。
【００３０】
アップリンク制御情報（ＵＣＩ）のみが物理アップリンクチャネルで送信されるべきであるときに、端末デバイスは、ネットワークデバイスによって割り当てられているリソースに従って、ＣＳＩパート２の一部又は全部などの、ＵＣＩの部分を破棄し、有効に運ばれ得るＵＣＩのビットの数のみを送信してよい。そのため、端末デバイスは、ＵＣＩデータの有効な送信を確かにするために、リソースを適切に割り当てることができる。その上、物理アップリンクチャネルが十分なリソースを有しているときには、端末デバイスは、リソース利用を改善するように、物理アップリンクチャネルで同時にアップリンク制御情報及びアップリンクデータを更に送信してもよい。全体として、これは、通信システムの伝送性能を改善することを助ける。
【００３１】
第３の態様に従って、端末デバイスが提供される。端末デバイスは、第１の態様における上記の方法の設計での端末デバイスを実装する機能を有している。機能は、ハードウェアによって実装されてよく、あるいは、対応するソフトウェアをハードウェアによって実行することによって実装されてもよい。ハードウェア又はソフトウェアは、上記の機能に対応する１つ以上のユニットを含む。
【００３２】
第４の態様に従って、ネットワークデバイスが提供される。ネットワークデバイスは、第２の態様における上記の方法の設計でのネットワークデバイスを実装する機能を有している。機能は、ハードウェアによって実装されてよく、あるいは、対応するソフトウェアをハードウェアによって実行することによって実装されてもよい。ハードウェア又はソフトウェアは、上記の機能に対応する１つ以上のユニットを含む。
【００３３】
第５の態様に従って、端末デバイスが提供される。端末デバイスは、トランシーバ、プロセッサ、及びメモリを含む。プロセッサは、信号を受信及び送信するようにトランシーバを制御するよう構成され、メモリは、コンピュータプログラムを記憶するよう構成され、プロセッサは、メモリからコンピュータプログラムを呼び出し、コンピュータプログラムを実行するよう構成され、それにより、端末デバイスは、第１の態様又は第１の態様のいずれかの可能な実施における方法を実行する。
【００３４】
第６の態様に従って、ネットワークデバイスが提供される。ネットワークデバイスは、トランシーバ、プロセッサ、及びメモリを含む。プロセッサは、信号を受信及び送信するようにトランシーバを制御するよう構成され、メモリは、コンピュータプログラムを記憶するよう構成され、プロセッサは、メモリからコンピュータプログラムを呼び出し、コンピュータプログラムを実行するよう構成され、それにより、端末デバイスは、第２の態様又は第２の態様のいずれかの可能な実施における方法を実行する。
【００３５】
第７の態様に従って、通信装置が提供される。通信装置は、上記の方法の設計での端末デバイスであってよく、あるいは、端末デバイスに配置されたチップであってもよい。通信装置は、メモリへ結合され、メモリ内の命令を実行して、第１の態様又は第１の態様のいずれかの可能な実施で端末デバイスによって実行される方法を実装するよう構成されたプロセッサを含む。任意に、通信装置は、メモリを更に含む。任意に、通信装置は、通信インターフェースを更に含み、プロセッサは、通信インターフェースへ結合される。
【００３６】
第８の態様に従って、通信装置が提供される。通信装置は、上記の方法の設計でのネットワークデバイスであってよく、あるいは、ネットワークデバイスに配置されたチップであってもよい。通信装置は、メモリへ結合され、メモリ内の命令を実行して、第２の態様又は第２の態様のいずれかの可能な実施でネットワークデバイスによって実行される方法を実装するよう構成されたプロセッサを含む。任意に、通信装置は、メモリを更に含む。任意に、通信装置は、通信インターフェースを更に含み、プロセッサは、通信インターフェースへ結合される。
【００３７】
第９の態様に従って、コンピュータプログラム製品が提供される。コンピュータプログラム製品は、コンピュータプログラムコードを含む。コンピュータプログラムコードは、コンピュータで実行されるとき、コンピュータに、上記の態様における方法を実行させる。
【００３８】
第１０の態様に従って、コンピュータ可読媒体が提供される。コンピュータ可読媒体は、プログラムコードを記憶している。コンピュータプログラムコードは、コンピュータで実行されるとき、コンピュータに、上記の態様における方法を実行させる。
【００３９】
第１１の態様に従って、チップシステムが提供される。チップシステムは、上記の態様における機能、例えば、上記の方法においてデータ及び／又は情報を生成、受信、決定、送信、又は処理すること、を実装するように端末デバイスをサポートするよう構成されるプロセッサを含む。可能な設計において、チップシステムは、メモリを更に含み、メモリは、端末デバイスにとって必要であるプログラム命令及びデータを記憶するよう構成される。チップシステムは、チップを含んでよく、あるいは、チップ及び他のディスクリートデバイスを含んでもよい。
【００４０】
第１２の態様に従って、チップシステムが提供される。チップシステムは、上記の態様における機能、例えば、上記の方法においてデータ及び／又は情報を生成、受信、決定、送信、又は処理すること、を実装するようにネットワークデバイスをサポートするよう構成されるプロセッサを含む。可能な設計において、チップシステムは、メモリを更に含み、メモリは、端末デバイスにとって必要であるプログラム命令及びデータを記憶するよう構成される。チップシステムは、チップを含んでよく、あるいは、チップ及び他のディスクリートデバイスを含んでもよい。
【図面の簡単な説明】
【００４１】
【図１】本願の実施形態に従う通信システムの例の概略図である。
【図２】本願の実施形態に従う情報処理方法の例の概略図である。
【図３】本願の実施形態に従うリソースマッピングの例の概略図である。
【図４】本願の実施形態に従う情報処理方法の他の例の他の概略図である。
【図５】本願の実施形態に従うリソースマッピングの他の例の他の概略図である。
【図６】本願の実施形態に従うリソースマッピングの他の例の他の概略図である。
【図７】本願の実施形態に従う通信方法の例の略フローチャートである。
【図８】本願の実施形態に従う通信方法の他の例の他の略フローチャートである。
【図９】本願の実施形態に従う通信装置の例の略ブロック図である。
【図１０】本願の実施形態に従う通信装置の他の例の他の略ブロック図である。
【図１１】本願の実施形態に従う端末デバイスの例の略ブロック図である。
【図１２】本願の実施形態に従う端末デバイスの他の例の他の略ブロック図である。
【図１３】本願の実施形態に従うネットワークデバイスの例の略ブロック図である。
【図１４】本願の実施形態に従うネットワークデバイスの他の例の他の略ブロック図である。
【発明を実施するための形態】
【００４２】
以下は、添付の図面を参照して、本願における技術的解決法について記載する。
【００４３】
本明細書中で使用される「コンポーネント」、「モジュール」、及び「システム」などの語は、コンピュータに関連したエンティティ、ハードウェア、ファームウェア、ハードウェアとソフトウェアとの組み合わせ、ソフトウェア、又は実行中のソフトウェアを示すために使用される。例えば、コンポーネントは、制限なしに、プロセッサで実行されるプロセス、プロセッサ、オブジェクト、実行可能ファイル、実行のスレッド、及びプログラムであってよい。１つ以上のコンポーネントが、プロセス及び／又は実行のスレッドの中にあってよく、コンポーネントは、１つのコンピュータ上に位置しても、かつ／あるいは、２つ以上のコンピュータの間で分配されてもよい。その上、このようなコンポーネントは、様々なデータ構造を記憶している様々なコンピュータ可読媒体から実行されてよい。コンポーネントは、ローカル及び／又はリモートプロセスをしようすることによって、例えば、１つ以上のデータパケット（例えば、ローカルシステムや分散型システムにおいて、及び／又は信号を使用することによって他のシステムと相互作用するインターネットなどのネットワークにわたって、他のコンポーネントと相互作用する２つのコンポーネントからのデータ）を有している信号に従って、通信してよい。
【００４４】
本願の実施形態において、「プロトコル」は、通信分野での標準のプロトコルであってよく、例えば、ＬＴＥプロトコル、ＮＲプロトコル、及び将来の通信システムに適用される関連プロトコルを含んでよい、ことが留意されるべきであるこれは本願で制限されない。
【００４５】
本願の実施形態において、「予め定義された」は、デバイス（例えば、端末デバイス及びネットワークデバイスを含む）において対応するコード又はテーブルを事前に記憶することによって、あるいは、関連情報を示すために使用される他の様態において、実施されてよい、ことが更に理解されるべきである。上記の「予め定義された」の具体的な実施は、本願で制限されない。例えば、「予め定義された」は、「プロトコルにおいて予め定義された」であってよい。
【００４６】
本願の実施形態において、名詞「ネットワーク」及び「システム」は、通常は同義的に使用されるが、当業者であれば、名詞の意味を理解し得る、ことが更に留意されるべきである。「情報（information）」、「信号（signal）」、「メッセージ（message）」、及び「チャネル（channel）」との語は、ときどき同義的に使用されることがある。表現される意味は、違いが強調されないときに一致する、ことが留意されるべきである。「〜の（of）」、「関連する（relevant）」、及び「対応する（corresponding）」との語は、ときどき同義的に使用されることがある。表現される意味は、違いが強調されないときに一致する、ことが留意されるべきである。
【００４７】
本願の実施形態において、「報告する」及び「フィードバックする」との語は、通常は同義的に使用されるが、当業者であれば、語の意味を理解し得る、ことが更に留意されるべきである。実際に、端末デバイスの場合に、ＣＳＩを報告することと、ＣＳＩをフィードバックすることとは、両方とも、実質的に、物理アップリンクチャネルを使用することによってＣＳＩを送信することであり得る。そのため、本願の実施形態において、表される意味は、違いが強調されないときに一致する。
【００４８】
「及び／又は」との語は、関連するオブジェクトの間の関連付け関係を表し、３つの関係が存在する可能性があることを示す、ことが更に留意されるべきである。例えば、Ａ及び／又はＢは、次の３つの場合：Ａのみが存在する，Ａ及びＢが両方とも存在する，及びＢのみが存在する、を表し得る。文字「／」は、一般に、関連するオブジェクトの間の「論理和」関係を示す。「少なくとも１つ」は、１つ以上を意味する。「Ａ及びＢの少なくとも１つ」は、「Ａ及び／又はＢ」と同様に、関連するオブジェクトの間の関連付け関係を表し、３つの関係が存在する可能性があることを示す。例えば、Ａ及びＢの少なくとも１つは、次の３つの場合：Ａのみが存在する，Ａ及びＢが両方とも存在する，及びＢのみが存在する、を表し得る。以下は、添付の図面を参照して詳細に、本願で提供される技術的解決法について記載する。
【００４９】
本願の実施形態の技術的解決法は、グローバル・システム・フォー・モバイル・コミュニケーション（global  system  of  mobile  communication，ＧＳＭ）システム、符号分割多重アクセス（code  division  multiple  access，ＣＤＭＡ）システム、広帯域符号分割多重アクセス（wideband  code  division  multiple  access，ＷＣＤＭＡ）システム、汎用パケット無線サービス（general  packet  radio  service，ＧＰＲＳ）システム、ロング・ターム・エボリューション（long  term  evolution，ＬＴＥ）システム、ＬＴＥ周波数分割復信（frequency  division  duplex，ＦＤＤ）システム、ＬＴＥ時分割復信（time  division  duplex，ＴＤＤ）システム、ユニバーサル・モバイル・テレコミュニケーション・システム（Universal  mobile  telecommunication  system，ＵＭＴＳ）、ワールドワイド・インターオペラビリティ・フォー・マイクロウェーブ・アクセス（worldwide  interoperability  for  microwave  access，ＷｉＭＡＸ）通信システム、将来の第５世代（5th  generation，５Ｇ）システム、又はニュー・ラジオ（new  radio，ＮＲ）システムなどの様々な通信システムに適用されてよい。
【００５０】
本願の実施形態の理解を容易にするために、図１に示される通信システムが、最初に、本願の実施形態に適用可能な通信システムについて詳細に説明するために一例として使用される。図１は、本願の実施形態に従う無線通信システム１００の概略図である。図１に示されるように、無線通信システム１００は、１つ以上のネットワークデバイス、例えば、図１に示されるネットワークデバイス１０１を含んでよい。無線通信システム１００は、１つ以上の端末デバイス、例えば、図１に示される端末デバイス＃１  １０２及び端末デバイス＃２  １０３を更に含んでよい。無線通信システム１００は、協調型マルチポイント伝送（coordinated  multiple  points  transmission，ＣｏＭＰ）をサポートしてよい。具体的に言えば、複数のセル又は複数のネットワークデバイスが、協調して１つの端末デバイスのデータ伝送に参加するか、あるいは、１つの端末デバイスによって送信されたデータを連帯して受信してよく、あるいは、複数のセル又は複数のネットワークデバイスは、協調スケジューリング又は協調ビームフォーミングを実行する。複数のセルは、同じネットワークデバイス又は異なるネットワークデバイスに属してよく、チャネル利得又は経路損失、受信信号強度、受信信号命令、などに従って選択されてよい。
【００５１】
無線通信システム内のネットワークデバイスは、受信／送信機能を有しているあらゆるデバイス、又はデバイス内に配置され得るチップであってよい。デバイスは、制限なしに、エボルブド・ノードＢ（evolved  Node  B，ｅＮＢ）、ラジオ・ネットワーク・コントローラ（radio  network  controller，ＲＮＣ）、ノードＢ（Node  B，ＮＢ）、基地局コントローラ（base  station  controller，ＢＳＣ）、ベーストランシーバ局（Base  Transceiver  Station，ＢＴＳ）、ホーム・エボルブド・ノードＢ又はホーム・ノードＢ（home  evolved  Node  B又はhome  Node  B，ＨＮＢ）、ベースバンド・ユニット（base  band  unit，ＢＢＵ）、ワイヤレス・フィデリティ（wireless  fidelity，ＷＩＦＩ）システムにおけるアクセス・ポイント（ＡＰ）、無線中継ノード、無線バックホールノード、送信ポイント（transmission  point，ＴＰ）、又は送受信ポイント（transmission  and  reception  point，ＴＲＰ）を含むか、あるいは、ＮＲシステムなどの５ＧシステムにおけるｇＮＢ若しくは送信ポイント（ＴＲＰ若しくはＴＰ）、又は５Ｇシステムにおける基地局のアンテナパネル若しくはアンテナパネル（複数のアンテナパネルを含む）のグループであってよく、あるいは、ベースバンド・ユニット（ＢＢＵ）又は分散型ユニット（distributed  unit，ＤＵ）などの、ｇＮＢ又は送信ポイントを形成するネットワークノードであってよい。
【００５２】
いくつかの配置において、ｇＮＢは、中央集権型ユニット（centralized  unit，ＣＵ）及びＤＵを含んでよい。ｇＮＢは、ラジオ・ユニット（radio  unit，ＲＵ）を更に含んでもよい。ＣＵは、ｇＮＢのいくつかの機能を実装し、ＤＵは、ｇＮＢのいくつかの機能を実装する。例えば、ＣＵは、ラジオ・リソース・コントロール（radio  resource  control，ＲＲＣ）レイヤ及びパケット・データ・コンバージェンス・プロトコル（packet  data  convergence  protocol，ＰＤＣＰ）レイヤの機能を実装し、ＤＵは、ラジオ・リンク・コントロール（radio  link  control，ＲＬＣ）レイヤ、メディア・アクセス・コントロール（media  access  control，ＭＡＣ）レイヤ、及び物理（physical，ＰＨＹ）レイヤの機能を実装する。ＲＲＣレイヤの情報は、最終的にＰＨＹレイヤの情報になるか、あるいは、ＰＨＹレイヤの情報から変換される。そのため、このアーキテクチャでは、ＲＲＣレイヤシグナリング又はＰＤＣＰレイヤシグナリングなどの上位レイヤシグナリングは、ＤＵによって送信されるか、又はＤＵ及びＲＵによって送信される、とも見なされ得る。ネットワークデバイスは、ＣＵノード、ＤＵノード、又はＣＵノードとＤＵノードとを含むデバイスであってよい、ことが理解され得る。その上、ＣＵは、ラジオ・アクセス・ネットワーク（ＲＡＮ）内のネットワークデバイスに分類されてもよく、あるいは、ＣＵは、コア・ネットワーク（ＣＮ）内のネットワークデバイスに分類されてもよい。これはここで制限されない。
【００５３】
無線通信システム内の端末デバイスは、代替的に、ユーザ装置（User  Equipment，ＵＥ）、アクセス端末、加入者ユニット、加入者局、移動局、モバイルコンソール、遠隔局、遠隔端末、モバイルデバイス、ユーザ端末、端末、無線通信デバイス、ユーザエージェント、又はユーザ機器、と呼ばれることがある、ことが更に理解されるべきである。本願のこの実施形態における端末デバイスは、携帯電話機（mobile  phone）、タブレットコンピュータ（パッド）、無線受信／送信機能を備えたコンピュータ、仮想現実（virtual  reality，ＶＲ）端末デバイス、拡張現実（augmented  reality，ＡＲ）端末デバイス、工業制御（industrial  control）における無線端末、自動運転（self  driving）における無線端末、遠隔医療（remote  medical）における無線端末、スマートグリッド（smart  grid）における無線端末、輸送安全性（transportation  safety）における無線端末、スマートシティ（smart  city）における無線端末、スマートホーム（smart  home）における無線端末、などであってよい。適用シナリオは、本願のこの実施形態において制限されない。本願では、上記の端末デバイス及び上記の端末デバイスに配置され得るチップは、まとめて端末デバイスと称される。
【００５４】
任意に、図１に示される通信システム１００では、ネットワークデバイスは、サービングネットワークデバイスであってよく、サービングネットワークデバイスは、無線エアインターフェースプロトコルを使用することによって、端末デバイスのためにＲＲＣコネクション、非アクセス層（non-access  stratum，ＮＡＳ）モビリティ管理、及びセキュリティ入力のうちの少なくとも１つのサービスを提供するネットワークデバイスであってよい。任意に、ネットワークデバイスは、代替的に、協調ネットワークデバイスであってもよい。サービングネットワークデバイスは、制御シグナリングを端末デバイスへ送信してよく、協調ネットワークデバイスは、データを端末デバイスへ送信してよい。代替的に、サービングネットワークデバイスが、制御シグナリングを端末デバイスへ送信してよく、サービングネットワークデバイス及び協調ネットワークデバイスが、データを端末デバイスへ送信してもよい。代替的に、サービングネットワークデバイス及び協調ネットワークデバイスの両方が、制御シグナリングを端末デバイスへ送信してもよく、サービングネットワークデバイス及び協調ネットワークデバイスの両方が、データを端末デバイスへ送信してもよい。代替的に、協調ネットワークデバイスが、制御シグナリングを端末デバイスへ送信してもよく、サービングネットワークデバイス及び協調ネットワークデバイスの少なくとも一方が、データを端末デバイスへ送信してもよい。代替的に、協調ネットワークデバイスが、制御シグナリング及びデータを端末デバイスへ送信してもよい。これは、本願のこの実施形態で特に制限されない。
【００５５】
図１は、理解を容易にするために、ネットワークデバイス及び端末デバイスの単なる一例を示す、ことが理解されるべきである。なお、これは、本願に対する如何なる制限も構成すべきではない。無線通信システムは、より多い又はより少ないネットワークデバイスを更に含んでもよく、あるいは、より多くの端末デバイスを含んでもよい。異なる端末デバイスと通信するネットワークデバイスは、同じネットワークデバイスであってよく、あるいは、異なるネットワークデバイスであってもよい。異なる端末デバイスと通信するネットワークデバイスの数は同じであってよく、あるいは、異なってもよい。これは本願において制限されない。
【００５６】
本願の実施形態を理解することを容易にするために、以下は、最初に、本願で使用されるいくつかの名詞又は語について簡単に説明する。
【００５７】
１．物理アップリンクチャネル：物理アップリンクチャネルは、アップリンク制御情報及び／又はアップリンクデータを運ぶために使用され得るチャネルである。例えば、物理アップリンクチャネルは、ＬＴＥプロトコル又はＮＲプロトコルで定義されている物理アップリンク制御チャネル（physical  uplink  control  channel，ＰＵＣＣＨ）及び物理アップリンク共有チャネル（ＰＵＳＣＨ）と、上記の機能を備えかつネットワークが進化するにつれて定義される他のアップリンクチャネルとを含んでよい。
【００５８】
２．アップリンク制御情報（uplink  control  information，ＵＣＩ）：アップリンク制御情報は、ＣＳＩ（channel  state  information）、確認応答（acknowledgement，ＡＣＫ）／否定応答（negative  acknowledgement，ＮＡＣＫ）、及びアップリンクスケジューリング要求（scheduling  request，ＳＲ）のうちの少なくとも１つを運ぶために使用され得る。
【００５９】
３．ダウンリンク制御情報（download  control  information，ＤＣＩ）：ダウンリンク制御情報は、ダウンリンクスケジューリング割り当て情報を送るために主に使用され、ＤＣＩフォーマット１／１Ａ／１Ｂ／１Ｃ／１Ｄ／２／２Ａ／２Ｂ／２Ｃを含む複数の異なるフォーマットを有する。
【００６０】
４．リソース要素（resource  element，ＲＥ）：リソース要素は、代替的に、リソースエレメントと呼ばれる。リソース要素は、時間領域では１つのシンボルに対応してよく、周波数領域では１つのサブキャリアに対応してよい。本願の実施形態において、ＲＥは、リソース単位の一例であることができる。
【００６１】
５．リソースブロック（resource  block，ＲＢ）：１つのＲＢは、周波数領域でＮｓｃＲＢ個の連続したサブキャリアを占有する。ＮｓｃＲＢは正の整数である。例えば、ＬＴＥプロトコルでは、ＮｓｃＲＢは１２に等しくなり得る。本願の実施形態において、ＲＢは、周波数領域リソースからしか定義され得ない。すなわち、時間領域でＲＢによって占有される時間領域リソースの量は制限されない。本願の実施形態において、ＲＢは，リソース単位の他の例であることができる。
【００６２】
以下は、本願の実施形態における伝送対象（すなわち、アップリンク制御情報ＵＣＩ）について詳細に記載する。
【００６３】
本願の実施形態において、アップリンク制御情報ＵＣＩは：ＨＡＲＱ−ＡＣＫ、ＳＲ、及びＣＳＩ（ＣＱＩ、ＰＭＩ及びＲＩ）を含む。
【００６４】
例として、制限なしに、本願の実施形態におけるアップリンク制御情報は、次の情報の１つ以上を含み得るが限られない。
【００６５】
１．フィードバック情報
本願の実施形態において、アップリンク制御情報は、ダウンリンクデータについてのフィードバック情報を含んでよい。
【００６６】
具体的に、本願の実施形態において、フィードバック技術は、ダウンリンクデータ伝送のために使用されてよい。例として、制限なしに、フィードバック技術は、例えば、ハイブリッド自動再送要求（hybrid  automatic  repeat  request，ＨＡＲＱ）技術を含んでよい。
【００６７】
ＨＡＲＱ技術は、前方誤り訂正（forward  error  correction，ＦＥＣ）符号化及び自動再送要求（automatic  repeat  request，ＡＲＱ）の組み合わせを含む技術である。
【００６８】
例えば、ＨＡＲＱ技術では、送信端からデータを受信した後、受信端は、データが正確に復号されるかどうかを判定してよい。データが正確に復号され得ない場合には、受信端は、否定応答（negative-acknowledgement，ＮＡＣＫ）情報を送信端へフィードバックしてよく、それにより、送信端は、ＮＡＣＫ情報に従って、受信端が正確にデータを受信しなかったと決定することができ、そして、再送処理が実行され得る。データが正確に復号され得る場合には、受信端は、確認応答（acknowledgement，ＡＣＫ）情報を送信端へフィードバックしてよく、それにより、送信端は、ＡＣＫ情報に従って、受信端がデータを正確に受信したと決定することができ、そして、データ伝送が完了したことが決定され得る。
【００６９】
すなわち、本願の実施形態において、復号化が成功するとき、受信端はＡＣＫ情報を送信端へフィードバックしてよく、復号が失敗するとき、受信端はＮＡＣＫ情報を送信端へフィードバックしてよい。
【００７０】
例として、制限なしに、本願の実施形態において、アップリンク制御情報は、ＨＡＲＱ技術におけるＡＣＫ情報又はＮＡＣＫ情報を含んでよい。ＨＡＲＱ−ＡＣＫは、ダウンリンクデータチャネルＰＤＳＣＨの受信ステータスをフィードバックするために使用される。ダウンリンクデータチャネルＰＤＳＣＨを正確に受信するとき、ＵＥはＡＣＫを送信する。ＰＤＳＣＨを不正確に受信するとき、ＵＥはＮＡＣＫを送信する。基地局は、ＰＤＳＣＨについてのＵＥのフィードバック情報に従って、次のスケジューリングポリシー、例えば、再送又は新規送信を決定する。
【００７１】
フィードバック情報に含まれる上記の列挙内容は、説明のための例に過ぎず、本願は、それらに制限されない、ことが理解されるべきである。端末デバイスによってダウンリンクデータを受信するステータスを示すことができる他の情報は、本願の保護範囲内にあるべきである。例えば、フィードバック情報は、不連続伝送（discontinuous  transmission，ＤＴＸ）情報を更に含んでよく、ＤＴＸ情報は、端末デバイスがダウンリンクデータを受信しないことを示すために使用されてよい。
【００７２】
２．チャネル状態情報ＣＳＩ
無線通信の分野では、ＣＳＩは、通信リンクのチャネル属性である。ＣＳＩは、ＵＥがチャネル状態を測定した後にＵＥによって基地局へフィードバックされるチャネル状態情報であり、情報は、ＣＱＩ／ＰＭＩ／ＲＩなどの情報を更に含む。それは、各伝送経路での信号の減衰ステータス、すなわち、信号散乱（scattering）、環境フェーディング（マルチパスフェーディング又はシャドーイングフェーディング）、距離電力減衰（power  decay  of  distance）、及び他の情報などの、チャネル利得行列Ｈにおける各要素の値を示す。ＣＳＩは、通信システムが現在のチャネル条件に適応することを可能にし、それによって、マルチアンテナシステムにおける高信頼及び高レート通信を確約し得る。
【００７３】
３．チャネル品質インジケータ（channel  quality  indicator，ＣＱＩ）情報
本願の実施形態において、ＣＱＩは、物理ダウンリンク共有チャネル（physical  downlink  shared  channel，ＰＤＳＣＨ）のチャネル品質を反映するために使用され得る。ＣＱＩは、チャネル品質インジケータ情報であり、チャネル品質を直接フィードバックするために使用される。基地局は更に、ＣＱＩに従って、データを送信するために使用される変調及び符号化スキーム（ＭＣＳ）を決定してよい。フィードバックされたＣＱＩの値が高いとき、比較的に高い変調及び符号化スキームと、比較的に高い符号レートとが、データ伝送レートを改善するために、限られたリソースでより多くの情報を運ぶために使用され得る。フィードバックされたＣＱＩの値が比較的に低いとき、比較的に低い変調及び符号化スキームと、比較的に低い符号レートとが、より多くの時間−周波数リソースを使用することによってデータを送信するために使用されてよく、それによって、データ伝送信頼性を改善する。その上、ＵＥは、異なる周波数領域リソースのＣＱＩを測定し、それにより、基地局は、周波数領域スケジューリング利得を得るために、望ましいチャネル品質により周波数領域リソースに対してデータをスケジューリングすることができる。
【００７４】
例として、制限なしに、本願の実施形態において、０から１５がＰＤＳＣＨのチャネル品質を示すために使用されてよい。０は、チャネル品質が最悪であることを示し、１５は、チャネル品質が最良であることを示す。
【００７５】
本願の実施形態において、端末デバイスは、物理アップリンク制御チャネル（physical  uplink  control  channel，ＰＵＣＣＨ）又は物理アップリンク共有チャネル（physical  uplink  shared  channel，ＰＵＳＣＨ）でネットワークデバイスへＣＱＩ情報を送信してよい。ネットワークデバイスは、ＰＤＳＣＨのためのスケジューリングを実行するために、ＣＱＩ情報に従って現在のＰＤＳＣＨ又はＰＵＳＣＨの無線チャネル条件を決定してよい。例えば、本願の実施形態において、ネットワークデバイスは、ＣＱＩ情報に従って、適応変調及び符号化（adaptive  modulation  and  coding，ＡＭＣ）、変調及び符号化スキーム（modulation  and  coding  scheme，ＭＣＳ）、符号レート又はアップリンク伝送若しくはダウンリンク伝送のデータの量、などを決定してよい。
【００７６】
４．ランク指示（rank  indication，ＲＩ）情報
本願の実施形態において、ＲＩは、ランク指示情報であり、チャネルから分離され得るレイヤの数を基地局へフィードバックするために使用される。レイヤの数が大きいほど、同時に送信され得るデータの量が多いことを示す。ＲＩ情報は、ＰＤＳＣＨの有効なデータレイヤの数を示すために使用されてよく、あるいは、ＲＩ情報は、端末デバイスによって現在サポートされ得る符号語（code  word，ＣＷ）の数を示すために使用されてもよい。
【００７７】
５．プリコーディングマトリクスインジケータ（precoding  matrix  indicator，ＰＭＩ）情報
本願の実施形態において、ＰＭＩ情報は、コードブックセットのインデックス（index）を示すために使用され得る。ＰＭＩは、データを送信するために使用され、測定されたチャネル品質に従ってＵＥによって基地局へフィードバックされるプリコーディングマトリクス識別子である。基地局は、フィードバックされたＰＭＩ情報に従って、対応するプリコーディングマトリクスを決定してよい。すなわち、多入力多出力（multiple-input  multiple-output，ＭＩＭＯ）技術などのマルチアンテナ技術では、プリコーディングマトリクスに従うプリコーディング処理（precoding）は、ＰＤＳＣＨ物理レイヤでのベースバンド処理において実行される。端末デバイスは、ＰＭＩ情報を使用することによってプリコーディングマトリクスを示してよく、それにより、ＰＤＳＣＨの信号品質は改善され得る。
【００７８】
その上、複数の測定された測定リソースに中で最良のチャネル測定品質を有している測定リソースを基地局へフィードバックするために使用される、ＣＳＩ−ＲＳリソース指示情報（CSI-RS  resource  indicator，ＣＲＩ）などの何らかの情報が存在する。
【００７９】
ＣＳＩの上記の列挙された具体的な内容は、説明のための例に過ぎず、本願に対する如何なる制限も構成すべきではない、ことが理解されるべきである。受信端デバイスによって送信端デバイスへ送信されるＣＳＩは、上記の例の１つ以上を含んでよく、あるいは、上記の例に加えてＣＳＩを表すために使用される他の情報を更に含んでもよい。これは本願で制限されない。
【００８０】
一般性を失わずに、以下は、一例として、１つの端末デバイスと１つのネットワークデバイスとの間の相互作用プロセスを使用することによって、詳細に本願の実施形態について記載する。端末デバイスは、無線通信システム内にあって、１つ以上のネットワークデバイスとの無線接続関係を有している如何なる端末デバイスであってもよい。無線通信システム内の如何なる端末デバイスも、同じ技術的解決法に従う無線通信を実装し得る、ことが理解され得る。これは本願で制限されない。
【００８１】
本願の実施形態において、アップリンク制御情報を送信することは、アップリンク制御チャネルＰＵＣＣＨ又はアップリンク共有チャネルＰＵＳＣＨで運ばれるデータ又は情報を送信することであってよい。データ又は情報は、チャネル符号化の後で得られるデータ又は情報であってよい。これは本願で制限されない。
【００８２】
同様に、本願の実施形態において、ダウンリンク制御情報を送信することは、ダウンリンク制御チャネル（physical  downlink  control  channel，ＰＤＣＣＨ）又はダウンリンク共有チャネルＰＤＳＣＨで運ばれるデータ又は情報を送信することであってよい。データ又は情報は、チャネル符号化の後で得られるデータ又は情報であってよい。これは本願で制限されない。
【００８３】
アップリンク制御情報は、２つのチャネル：ＰＵＣＣＨ及びＰＵＳＣＨを使用することによって送信されてよい。ＮＲ  Ｒｅｌ−１５では、ＰＵＣＣＨ及びＰＵＳＣＨの同時の送信はサポートされていない。そのため、ＵＥが制御情報及びデータの両方を送信する必要があるとき、アップリンク制御情報は、送信のためにＰＵＳＣＨで運ばれる必要がある。アップリンク制御情報が送信される必要があるとき、ＰＵＣＣＨがＵＣＩを送信するために使用されてよく、あるいは、ＰＵＳＣＨ上の全てのリソースがＵＣＩに割り当てられてもよく、それにより、データは送信されない。具体的に、ＵＣＩがＰＵＳＣＨで多重化されるとき、異なる処理方法が異なる情報ごとに使用される。
【００８４】
現在のプロトコルでの説明が、図２に示されている。
【００８５】
最初に、データ伝送のために、ＵＥは、メディア・アクセス・コントロール（media  access  control，ＭＡＣ）レイヤからトランスポート・ブロック（transport  block，ＴＢ）を生成し、Ｓ２０１に従って、トランスポート・ブロックに対して巡回冗長検査（cyclic  redundancy  check，ＣＲＣ）アタッチメントを実行する。次いで、符号ブロック（code  block，ＣＢ）セグメンテーション及び各符号ブロックに対するＣＲＣアタッチメントが、Ｓ２０２に従って実行され、次いで、Ｓ２０３は、符号器での符号化のために実行される。符号化の後、レートマッチングが、Ｓ２０４に従って、時間−周波数リソースの実際の量に従って、符号化されたデータに対して実行される。レートマッチングの後、マージによってデータの列のビットストリームを得るために、Ｓ２０５に従って、符号ブロックのカスケード化が実行される。
【００８６】
次いで、ＵＣＩの伝送のために、ＣＱＩが符号化された後、ＣＱＩは、データと多重化される必要がある。ＡＣＫ及びＲＩが符号化された後、ＡＣＫ及びＲＩは、ＣＱＩ／データとともにインターリーバに入る。ＡＣＫは、データパンクチャリングを用いてインターリーバに入り、ＡＣＫは、ＰＵＳＣＨのパイロットの隣に位置付けられ、ＲＩは、ＡＣＫの隣に位置付けられ、レートマッチング法が使用される。かような配置について、ＡＣＫは、比較的に優れたチャネル推定性能を有することができ、ＲＩは、ある程度ＣＱＩ／ＰＭＩの正確な受信を促す、と考えられる。
【００８７】
図３は、プロトコルに従う情報インターリービングの概略図である。情報の具体的なインターリービングマッピングが図３には示されている。図３には、１４個のシンボルが存在する。ＡＣＫ／ＮＡＣＫは、図中黒点領域において示されているように、４つのシンボルにマッピングされ、最初に時間領域において、次いで周波数領域において下から上へ行ごとにマッピングされる。ＲＩは、ＡＣＫ／ＮＡＣＫの隣にある４つのシンボルにマッピングされ、最初に時間領域において、次いで周波数領域において下から上へ行ごとにマッピングされる。ＣＱＩ及びデータが多重化された後、ＣＱＩ及びデータは、最初に時間領域において、次いで周波数領域において上から下へ行ごとにマッピングされる。白色でマークされている時間−周波数リソースは、データに割り当てられる。
【００８８】
他の可能なプロトコルでは、具体的なプロシージャ及びリソースマッピング方法は異なる。可能なプロシージャ方法は図４に示されている。以下は、図４及び図５を参照して、可能なプロトコルプロシージャ及びリソースマッピング方法について記載する。
【００８９】
最初に、データ伝送のために、ＵＥは、ＭＡＣレイヤからトランスポート・ブロックＴＢを生成し、Ｓ４０１の動作に従って、トランスポート・ブロックに対してＣＲＣアタッチメントを実行する。次いで、Ｓ４０２で示されている、各符号ブロックに対する符号ブロックＣＢセグメンテーション及びＣＲＣアタッチメントが、実行され、次いで、Ｓ４０３は、符号器での符号化のために実行される。符号化の後、レートマッチングが、Ｓ４０４に従って、時間−周波数リソースの実際の量に従って、符号化されたデータに対して実行される。レートマッチングの後、マージによってデータの列のビットストリームを得るために、Ｓ４０５の符号ブロックのカスケード化が実行される。
【００９０】
次いで、ＵＣＩの伝送のために、ＵＣＩは、データと多重化される必要がある。ＨＡＲＱ−ＡＣＫが符号化された後、ＨＡＲＱ−ＡＣＫは、ＣＳＩパート１及びＣＳＩパート２と多重化される。
【００９１】
可能なマッピング方法は図５に示されている。具体的なマッピングプロセスにおいて、ＨＡＲＱ−ＡＣＫ情報は、ＤＭＲＳに続く最初の非ＤＭＲＳシンボルにマッピングされる。ＣＳＩパート１及びＣＳＩパート２は、最初の非ＤＭＲＳシンボルからマッピングされる。マッピングがシンボルに対して実行されるとき、具体的なマッピング規則が次の通りである。
【００９２】
シンボルに対する利用可能なＲＥの数がＢであり、ＵＣＩの残りのシンボルの数がＡであるとすると、マッピングは、周波数領域において分散マッピングの方法で実行される。
【００９３】
Ａ＞Ｂの場合に、マッピング中の周波数領域におけるＲＥ距離は、ｄ＝１であり、すなわち、連続マッピングが周波数領域で実行される。
【００９４】
Ａ＜Ｂの場合に、マッピング中の周波数領域におけるＲＥ距離は、ｄ＝ｆｌｏｏｒ（Ａ／Ｂ）である。
【００９５】
例えば、図中のＨＡＲＱ−ＡＣＫのＲＥの数が６であり、シンボル３に対する利用可能なＲＥの数が１２であるならば、ｄ＝ｆｌｏｏｒ（１２／６）＝２、すなわち、ＨＡＲＱ−ＡＣＫのＲＥは、周波数領域で１ＲＥのインターバルでマッピングされる。
【００９６】
ＣＳＩパート１がマッピングされるとき、利用可能なＲＥは、ＨＡＲＱ−ＡＣＫがマッピングされているＲＥを取り除くことによって得られる。
【００９７】
ＣＳＩパート２がマッピングされるとき、利用可能なＲＥは、ＨＡＲＱ−ＡＣＫ及びＣＳＩパート１がマッピングされているＲＥを取り除くことによって得られる。
【００９８】
ＨＡＲＱ−ＡＣＫ情報が異なる情報ビットを有しているとき、異なる動作方法が必要とされる、ことが留意されるべきである。ＨＡＲＱ−ＡＣＫ情報が２ビット未満であるときには、パンクチャリング法がリソースマッピング中に使用される。ＨＡＲＱ−ＡＣＫ情報が２ビットよりも大きいときには、レートマッチング法がリソースマッピング中に使用される。パンクチャリング法が使用されるとき、ＨＡＲＱ−ＡＣＫのＲＥがＣＳＩパート１のリソースを占有しないようにするために、リソース予約法が導入される。具体的に、ＨＡＲＱ−ＡＣＫが２ビット以下であるとき、ＨＡＲＱ−ＡＣＫのビットの実際の数に関わらず、ＨＡＲＱ−ＡＣＫのリソースは、２ビットに従って予約され、ＣＳＩパート１は、ＨＡＲＱ−ＡＣＫのリソースによってパンクチャリングされないように、予約されたリソースにはマッピングされ得ない。
【００９９】
可能な様態において、予約されたリソースのマッピングは、利用可能なリソースに対して等距離でマッピングする上記の方法を使用することによって、依然として実行されてよく、実際に送信される必要があるリソースの、予約されたリソースに対するマッピングも、やはり、予約されたリソースに対して等距離でマッピングする上記の方法を使用することによって実行されてよい。
【０１００】
例えば、図６に示されるように、３つのＨＡＲＱ−ＡＣＫ  ＲＥが実際に送信され、３つのＲＥは、予約されたＨＡＲＱ−ＡＣＫリソースに等距離で分配される。
【０１０１】
ネットワークデバイスが、フィードバックのために端末デバイスによって必要とされるリソースのサイズを前もって知り得ない場合に、ネットワークデバイスは、物理アップリンクチャネルについて、対応するリソースを構成することができず、フィードバックのために必要なリソースが比較的に大きい場合には、端末デバイスが十分なフィードバックリソースを有さないことがあり得る。
【０１０２】
更に、ネットワークデバイスによって構成された物理アップリンクリソースが十分であるとき、端末デバイスは、ＵＣＩを送信しながら、更にアップリンクデータを送信し得る。例えば、ＣＳＩ及びアップリンクデータはＰＵＳＣＨで送信される。
【０１０３】
しかし、ネットワークデバイスは、端末デバイスが物理アップリンクチャネルでＵＣＩ又はアップリンクデータを送信するかどうかを前もって知ることができず、従って、ＵＣＩ又はアップリンクデータを正確に受信することができない。その結果、伝送信頼性は低下する。
【０１０４】
ＵＣＩは、主に、３つの部分：ＨＡＲＱ−ＡＣＫ、ＣＳＩパート１、及びＣＳＩパート２に分けられ、ＣＳＩパート２のデータの量は有意に増大している。ＣＳＩパート２のデータの量は、ＣＳＩパート１に依存する。リソースをスケジューリングするときに、基地局は、ＣＳＩパート２のデータの量を取得することができない。その結果、スケジューリングされたリソースは、不十分であることがある。この場合に、ＣＳＩパート２は、割り当てられたリソースで有効に運ばれない可能性がある。この場合に、ＣＳＩパート２のデータの量の一部又は全部は破棄される必要があり、破棄されるデータの具体的な量は計算される必要がある。
【０１０５】
それは、データが割り当てられるリソース上のＣＳＩパート２を破棄する規則をもたらす。符号レート計算方法が最初に説明される。一般に、符号レートは、実際に送信されるビットの数に対する、データ符号化の前のビットの数の比を表すために、使用される。例えば、次の式で、分子は、ＣＲＣアタッチメントが実行されるＴＢブロックのサイズであってよく、分母は、実際に割り当てられるＲＥの数と変調次数との積である。基地局は、ＵＥに対応する変調次数及び符号レートを示し、それにおり、端末デバイスは、ＴＢブロックのサイズを推測することができる。
【０１０６】
符号レート＝（ＴＢ＋ＣＲＣ）／（ＲＥの数×変調次数）
【０１０７】
上記の列挙パラメータ、例えば、変調次数、ＣＲＣ符号のビットの数、最小符号レート、１つのＲＢに含まれるサブキャリアの数、及び１つのＲＢに含まれるシンボルの数は、予め定義されてよく、あるいは、シグナリングを使用することによってネットワークデバイスによって構成されてもよい、ことが理解されるべきである。これは本願で制限されない。
【０１０８】
ＣＭＣＳは、データの符号レートであり、符号レートは、ＤＣＩを使用することによって示される。ＤＣＩでは、５ビットが、スケジューリングされたアップリンクデータの変調及び符号化スキームを示すために使用される。具体的に、ＤＣＩは、対応するＰＤＳＣＨによって使用される変調及び符号化スキームを示すために使用され、従って、ＵＥは、ＰＤＣＣＨによって示される変調及び符号化スキーム（Modulation  and  Coding  Scheme，ＭＣＳ）識別子及びスケジューリングされたリソースに従って、かつ、予め定義された規則に従って、対応するトランスポート・ブロックのサイズを計算し得る。
【０１０９】
具体的に、プロトコルは、次の表１を定義する。
【０１１０】
表１中、第１の列における３２個のとり得るＭＣＳ識別子に対応して、第２の列は変調次数を提供する。１は、２位相偏移キーイング変調法（Binary  Phase  Shift  Keying，ＢＰＳＫ）に対応し、２は、４位相偏移キーイング変調法ＱＰＳＫに対応し、４は、直交振幅変調法（Quadrature  Amplitude  Modulation，１６ＱＡＭ）に対応し、６は、直交振幅変調法（Quadrature  Amplitude  Modulation，６４ＱＡＭ）に対応する。第３の列は、対応する符号レート、すなわち、ＣＭＣＳを提供する。この表中、行２８、２９、３０、及び３１は、ユーザ装置によって現在送信されているデータが再送データであることを示すために使用される。表の主な機能は、ＵＥが、示されているＭＣＳ及び符号レートを使用することによってトランスポート・ブロックのサイズを決定することを可能にすることである。再送データのトランスポート・ブロックのサイズは、最初に送信されたデータのそれと同じであるから、対応する符号レートは表中に定義されていない。
【表１】
2021513275.tif 000003
【０１１１】
同様に、ＣＳＩパート２について、対応する符号レートがやはり存在する。符号レートの分子は、ＣＳＩパート２のビットの数であり、分母は、実際に割り当てられるＲＥの数と変調次数との積である。
【０１１２】
βｏｆｆｓｅｔＣＳＩ−２は、ＣＳＩパート２の符号レートに対するデータの符号レートの比である。比は、ＤＣＩにおいて示されてよく、あるいは、準静的に構成されてもよい。具体的な参照テーブルは、表２に示されている。上位レイヤシグナリングが、ＵＥのために表中の４つの値を構成されてよく、その場合に、ＤＣＩは、４つの値のうちのどの１つが具体的に使用されるかを示すために使用される。
【表２】
2021513275.tif 000004
【０１１３】
ＣＳＩパート２に対応する符号レート閾値ＣＴは、示されているＣＭＣＳ及びβｏｆｆｓｅｔＣＳＩ−２を使用することによって決定され得、ＣＳＩ−２の破棄の程度は、閾値ＣＴを使用することによって決定される。具体的な破棄優先度は、以下表３で示されるように、プロトコルによって定義される。符号レートが符号レート閾値よりも小さくないとＵＥが認識するとき、破棄は、符号レートが閾値を下回るまで、優先度の昇順で順次に実行される。
【表３】
2021513275.tif 000005
【０１１４】
具体的に、ＵＥによって現在生成されているＣＳＩパート２はＡビットであり、Ａビットは、ＣＲＳ検査が実行されているビットである、と考えられる。ＣＳＩパート２の利用可能なリソースＲＥの数はＢであり、利用可能なリソースの量は、予め定義された方法で基地局及びＵＥによって計算される。Ａ／Ｂの値が符号レート閾値ＣＴを超えるとＵＥが認識する場合に、ＵＥは、Ａ／Ｂの値が符号レート閾値ＣＴを超えなくなるまで、優先度に従って、Ａビットの中身を破棄する。
【０１１５】
ＣＳＩパート２の利用可能なリソースの量について、具体的な計算式は、例えば、（１）から（３）である。
【数１】
2021513275.tif 000006
【０１１６】
式（１）は、ＰＵＳＣＨで伝送されるＨＡＲＱ−ＡＣＫのリソースを示す。式（１）中、ＯＡＣＫは、ＨＡＲＱ−ＡＣＫビットの数を表し、ＬＡＣＫは、ＨＡＲＱ−ＡＣＫに対応するＣＲＣ検査ビットの数を表し、βｏｆｆｓｅｔＨＡＲＱ−ＡＣＫは、ＨＡＲＱ−ＡＣＫについての符号レートのオフセットを表す。
（外１）
2021513275.tif 000007
は、ＵＣＩ伝送のデータのために使用可能であるＲＥの数を表し、
（外２）
2021513275.tif 000008
は、データ符号ブロックがカスケード化された後に得られるビットの数を表す。αは、１以下の値を表し、α＝｛０．５，０．６５，０．８，１｝であって、上位レイヤシグナリングを使用することによって構成されるパラメータである。ｌ０は、ＤＭＲＳに続く最初に利用可能な非ＤＭＲＳシンボルを表す。
【０１１７】
式（２）は、ＰＵＳＣＨで伝送されるＣＳＩパート１のリソースを表す。式（２）中、ＯＣＳＩ−１は、ＣＳＩパート１のためのビットの数を表し、ＬＣＳＩ−１はＣＳＩパート１に対応するＣＲＣ検査ビットの数を表し、βｏｆｆｓｅｔＣＳＩ−１は、ＣＳＩパート１についての符号レートのオフセットを表す。
（外３）
2021513275.tif 000009
は、ＵＣＩ伝送のデータのために使用可能であるＲＥの数を表し、
（外４）
2021513275.tif 000010
は、データ符号ブロックがカスケード化された後に得られるビットの数を表す。αは、１以下の値を表し、α＝｛０．５，０．６５，０．８，１｝であって、上位レイヤシグナリングを使用することによって構成されるパラメータである。式のｍｉｎ関数の右側はＣＳＩパート１によって占有されるリソースの上方境界が、ＨＡＲＱ−ＡＣＫによって占有されるＲＥの数をデータのための全ての利用可能なＲＥの数から減じることによって求められる値よりも大きくないことを示す。
【０１１８】
式（３）は、ＰＵＳＣＨで伝送されるＣＳＩパート２のリソースを表す。式（３）中、ＯＣＳＩ−２は、ＣＳＩパート２のためのビットの数を表し、ＬＣＳＩ−２はＣＳＩパート２に対応するＣＲＣ検査ビットの数を表し、βｏｆｆｓｅｔＣＳＩ−２は、ＣＳＩパート２についての符号レートのオフセットを表す。
（外５）
2021513275.tif 000011
は、ＵＣＩ伝送のデータのために使用可能であるＲＥの数を表し、
（外６）
2021513275.tif 000012
は、データ符号ブロックがカスケード化された後に得られるビットの数を表す。αは、１以下の値を表し、α＝｛０．５，０．６５，０．８，１｝であって、上位レイヤシグナリングを使用することによって構成されるパラメータである。式のｍｉｎ関数の右側はＣＳＩパート２によって占有されるリソースの上方境界が、ＨＡＲＱ−ＡＣＫ及びＣＳＩパート１によって占有されるＲＥの数をデータのための全ての利用可能なＲＥの数から減じることによって求められる値よりも大きくないことを示す。
【０１１９】
上記の解決法では、データスケジューリング及び伝送が必要とされる。アップリンクデータがないとき、データ符号レートは存在しないので、符号レート閾値は、この方法を使用することによっては計算され得ず、従って、破棄される必要があるＣＳＩパート２のデータの量は決定され得ない。
【０１２０】
本願のこの実施形態で提供される通信方法に従って、アップリンク制御情報ＵＣＩのみが物理アップリンクチャネルで送信されるべきであるとき、すなわち、ＵＣＩのみが、ネットワークデバイスによって割り当てられたリソースで送信されるとき、符号レート閾値は決定可能であり、それにより、ＵＣＩの破棄規則は決定される。
【０１２１】
本願のこの実施形態では、「端末デバイスが物理アップリンクチャネルでアップリンク制御情報のみを送信する場合」が複数回言及される、ことが特に留意されるべきである。この記載は、アップリンクデータに関連する。具体的に言えば、アップリンクデータ及びアップリンク制御情報のうち、端末デバイスは、アップリンク制御情報しか送信せず、アップリンクデータを送信しない。従って、「端末デバイスが物理アップリンクチャネルでアップリンク制御情報のみを送信する」とは、端末デバイスが他の信号、例えば、復調基準信号（demodulation  reference  signal，ＤＭＲＳ）を物理アップリンクチャネルで送信しないことを示すわけではない。当業者であれば、いくつかの場合に、端末デバイスが物理アップリンクチャネルでアップリンク制御情報しか送信せず復調基準信号を送信しないならば、ネットワークデバイスはアップリンク制御情報を正確に受信することができない、と理解し得る。その上、端末デバイスが物理アップリンクチャネルでアップリンク制御情報のみを送信するとき、端末デバイスによって物理アップリンクチャネルでＤＭＲＳ以外の基準信号、例えば、ＳＲＳを送信する可能性は、本願では除外されない。
【０１２２】
図７は、デバイス相互作用の観点から本願の実施形態に従う通信方法７００の略フローチャートである。図示されるように、図７に示される方法７００は、ステップ７１０からステップ７６０を含み得る。以下は、図７を参照して詳細に方法７００について記載する。
【０１２３】
ステップ７１０：ネットワークデバイスは、ダウンリンク制御情報ＤＣＩを送信し、相応して、端末デバイスは、ネットワークデバイスによって送信されたＤＣＩを受信し、ＤＣＩ内の情報を取得する。
【０１２４】
任意に、ＤＣＩは、第１符号レートを決定するために使用される第１指示情報を含んでよい。
【０１２５】
任意に、ＤＣＩは、ＵＣＩのみが物理アップリンクチャネルで送信されるべきであるかどうかを示すために使用される第２指示情報を更に含んでもよい。端末デバイスは、第２指示情報に従って、ＵＣＩのみが物理アップリンクチャネルで送信されるべきであるかどうかを判定し得る。例えば、第２指示情報は、ＤＣＩにおいて運ばれる情報指示フィールドであってよく、指示フィールドは、ＵＣＩのみが物理アップリンクチャネルで送信されるべきであるかどうかを決定するために使用される。
【０１２６】
任意に、ＤＣＩは、変調及び符号化スキームＭＣＳフィールドを更に含んでもよく、変調及び符号化スキームＭＣＳフィールドは、ＭＣＳ識別子を含む。
【０１２７】
具体的に、第１指示情報及び／又は第２指示情報は、上位レイヤシグナリング、例えば、ＲＲＣメッセージ又はＭＡＣ  ＣＥにおいて運ばれる情報であってよい。代替的に、第１指示情報及び／又は第２指示情報は、物理レイヤシグナリングにおいて運ばれる情報、例えば、ＤＣＩであってもよい。
【０１２８】
任意に、第２指示情報は、上位レイヤシグナリング又は物理レイヤシグナリングにおける新たに付加されたフィールドを使用することによって、アップリンク制御情報のみが物理アップリンクチャネルで送信されるべきであるかどうかを示してもよい。新たに付加されたフィールドは、例えば、ＵＣＩ専用（UCI  only）フィールド又はＵＥコンテンツ（UE  content）フィールドであってよい。
【０１２９】
例えば、ＵＣＩ専用フィールドがＵＣＩ−ｏｎｌｙ＝ＴＲＵＥを示すとき、それは、アップリンク制御情報のみが物理アップリンクチャネルで送信されるべきであることを示し得る。ＵＣＩ専用フィールドがＵＣＩ−ｏｎｌｙ＝ＦＡＬＳＥを示すとき、それは、アップリンク制御情報及びアップリンクデータが物理アップリンクチャネルで送信されるべきであることを示し得る。
【０１３０】
代替的に、ＵＥコンテンツフィールドが“０”にセットされるとき、それは、アップリンク制御情報のみが物理アップリンクチャネルで送信されるべきであることを示し得る。ＵＥコンテンツフィールドが“１”にセットされるとき、それは、アップリンク制御情報及びアップリンクデータが物理アップリンクチャネルで送信されるべきであることを示し得る。代替的に、ＵＥコンテンツフィールドが“００”にセットされるとき、それは、アップリンク制御情報のみが物理アップリンクチャネルで送信されるべきであることを示し得る。ＵＥコンテンツフィールドが“０１”にセットされるとき、それは、アップリンク制御情報及びアップリンクデータが物理アップリンクチャネルで送信されるべきであることを示し得る。ＵＥコンテンツフィールドが“１０”にセットされるとき、それは、アップリンクデータが物理アップリンクチャネルで送信されるべきであることを示し得る。ＵＥコンテンツフィールドは、“１１”にセットされるときに、リザーブ状態にある。
【０１３１】
先に挙げられている、第１指示情報を運ぶシグナリングと、第１指示情報を運ぶフィールドと、上記の列挙フィールドを使用することによって、アップリンク制御情報のみが物理アップリンクチャネルで送信されるべきであるかどうかを示す具体的な方法とは、説明のための例に過ぎず、本願に対する如何なる制限も構成すべきでない、ことが理解されるべきである。例えば、第１指示情報は、代替的に、他の既存のフィールドを使用することによって示されてもよい。これは本願で制限されない。
【０１３２】
ステップ７２０：端末デバイスは、ＵＣＩのみが物理アップリンクチャネルで送信されるべきであると決定する。相応して、ネットワークデバイスは、ＵＣＩのみが物理アップリンクチャネルで送信されるべきであると決定する。
【０１３３】
具体的に、ＤＣＩの情報を使用することによってネットワークデバイスによってスケジューリングされたリソースが、データ及び／又はＵＣＩを送信するために使用されてよく、ネットワークデバイスは、アップリンクデータが送信される必要があるかどうかを端末デバイスに知らしめる必要がある。ＵＣＩしか送信されず、アップリンクデータが送信される必要がない場合に、端末デバイスはＴＢブロックを生成せず、全てのリソースがＵＣＩに割り当てられる。アップリンクデータ及びＵＣＩの両方が送信される場合には、端末デバイスは、アップリンクデータ及びＵＣＩの両方にリソースを割り当てる必要がある。
【０１３４】
ネットワークデバイス及び端末デバイスは、２つの場合の一貫した理解を有している必要がある。アップリンクデータ及びＵＣＩが対応するリソースで送信されることをネットワークデバイスが端末デバイスに知らせる場合に、端末デバイスは、ネットワークデバイスによって割り当てられたリソースと、合意された方法とに従って、データ及びＵＣＩにリソースを割り当てる。
【０１３５】
任意に、端末デバイスは、ＤＣＩにおいて運ばれる指示情報に従って、ＵＣＩのみが物理アップリンクチャネルで送信されるべきであるかどうかを判定してよい。実施形態において、例えば、第２指示情報に従って、ＵＣＩのみが物理アップリンクチャネルで送信されるべきであるかどうかが判定される。代替的に、ＭＣＳ識別子、冗長性バージョンＲＶインジケータ、及び新規データインジケータ（ＮＤＩ）に従って、ＵＣＩのみが物理アップリンクチャネルで送信されるべきであるかどうかが判定される。
【０１３６】
実施形態において、例えば、ＵＣＩのみが物理アップリンクチャネルで送信されるべきである場合を示すために、ＤＣＩにおける１ビットが使用され得る。
【０１３７】
任意に、ＭＣＳ識別子に従って、ＵＣＩのみが物理アップリンクチャネルで送信されるべきであるかどうかが判定される。ＭＣＳ識別子が前もってセットされた範囲（例えば、第２範囲）内にあるとき、ＵＣＩのみが物理アップリンクチャネルで送信されるべきであると決定される。そうでない場合には、ＵＣＩ及びアップリンクデータが物理アップリンクチャネルで送信されるべきであると決定される。前もってセットされた範囲内の識別子に対応するＭＣＳは、再送を示すために使用されるか、あるいは、前もってセットされた範囲は、プロトコルにおいて定義される、ことが理解されるべきである。
【０１３８】
本願のこの実施形態において、表１中のＭＣＳインデックス（ＩＭＣＳ）が０から２７である（０及び２７を含む）行の範囲は、第１範囲であり、表１中のＭＣＳインデックス（ＩＭＣＳ）が２８、２９、３０又は３１である行の範囲は、第２範囲である。本願はそれらに限られない、ことが理解されるべきである。
【０１３９】
限定ではなく実施形態として、例えば、ＤＣＩに含まれるＭＣＳ識別子が２８以上であるとき、それは、ＵＣＩのみが物理アップリンクチャネルで送信されるべきである場合を示す。すなわち、表１中のＭＣＳインデックス（ＩＭＣＳ）の値が２８、２９、３０又は３１である行について、新しい意味が行２８、２９、３０又は３１に加えられ得る。ユーザ装置によって現在送信されているデータが再送データであることを示すために使用されることに加えて、行のＭＣＳインデックス（ＩＭＣＳ）の値は更に、ＵＣＩのみが物理アップリンクチャネルで送信されるべきである場合を示すために使用されてよい。
【０１４０】
任意に、ＵＣＩのみが物理アップリンクチャネルで送信されるべきである場合は、ＭＣＳ識別子、ＲＶインジケータ、及びＮＤＩに従って示されてもよい。例えば、ＭＣＳ識別子によって示される範囲は２８から３１であり、ＲＶ値は０であり、ＮＤＩの値は、前の送信の値とは異なる。すなわち、ＮＤＩは反転される。ＵＥに対応するＰＵＳＣＨでデータが送信されず、アップリンク制御情報のみが送信されることをユーザに通知するために、３つのフィールドが使用され得る。
【０１４１】
ステップ７３０：端末デバイスは、ＭＣＳ識別子に従って閾符号レートを決定し、相応して、ネットワークデバイスは、ＭＣＳ識別子に従って閾符号レートを決定する。
【０１４２】
任意に、ＭＣＳ識別子が第１範囲内にある場合に、第１符号レートは、ＭＣＳ識別子と第１符号レートとの間の予め定義された一対一対応に従って、決定される。第１符号レートが、閾符号レートとして決定されるか、あるいは、閾符号レートは、第１符号レート及びオフセットβに従って決定され、このとき、βは１以上である。
【０１４３】
具体的に、ＭＣＳ識別子の値が０から２７の範囲（０及び２７を含む）に及ぶとき、ＭＣＳ識別子と第１符号レートとの間の対応は、プロトコルを使用することによって定義されてよい。ＭＣＳ識別子及び第１符号レートは一対一の対応にあり、この対応は、例えば、表１に示される場合として与えられる。ＭＣＳインデックス値が８であるとき、対応する第１符号レートは６０２である。端末デバイスは、８に対応する符号レート６０２を読み出し、その符号レートを、符号レート閾値を計算するために第１符号レートとして使用するか、あるいは、第１符号レート及びオフセットβに従って閾符号レートを決定し、このとき、オフセットβは１以上である。本願のこの実施形態はそれらに限られない、ことが理解されるべきである。
【０１４４】
任意に、ＭＣＳ識別子が第２範囲内にあるとき、変調次数がＭＣＳ識別子に従って決定され、第１符号レートは、変調次数と第１符号レートとの間の対応に従って決定され、第１符号レートが閾符号レートとして決定されるか、あるいは、閾符号レートは、第１符号レート及びオフセットβに従って決定され、このとき、オフセットβは１以上である。
【０１４５】
具体的に、ＭＣＳ識別子の値が２８から３１の範囲（２８及び３１を含む）に及ぶとき、第１符号レートは、ＭＣＳ識別子と変調次数との間の対応を定義することによって、そして、変調次数と第１符号レートとの間の対応に従って、決定され得る。
【０１４６】
変調次数は４つの値：１、２、４及び６を有し、各値は複数の符号レートに対応する、ことがここで留意されるべきである。任意に、変調次数が複数の第１符号レートに対応する場合に、複数の第１符号レートの中の最大符号レートが第１符号レートとして決定される。
【０１４７】
任意に、変調次数が複数の第１符号レートに対応する場合に、複数の第１符号レートの中の最小符号レートが第１符号レートとして決定される。
【０１４８】
任意に、変調次数が複数の第１符号レートに対応する場合に、第１符号レートは、第１指示情報に従って決定される。
【０１４９】
他の可能な実施において、ＭＣＳ識別子が第２範囲内にあるとき、第１符号レートは、ＭＣＳ識別子と第１符号レートとの間の予め定義された一対一対応に従って決定され、第１符号レートが閾符号レートとして決定されるか、あるいは、閾符号レートは、第１符号レート及びオフセットβに従って決定され、このとき、オフセットβは１以上である。
【０１５０】
具体的に、ＭＣＳ識別子の値が２８から３１の範囲（２８及び３１を含む）に及ぶとき、ＭＣＳ識別子と第１符号レートとの間の一対一の対応は、プロトコルを使用することによって定義され得る。例えば、ＭＣＳインデックス値が２９であるとき、対応する第１符号レートは６０２であり、６０２が第１符号レートとして決定されるか、あるいは、閾符号レートは、第１符号レート及びオフセットβに従って決定され、このとき、オフセットβは１以上である。
【０１５１】
ステップ７４０：端末デバイスは、閾符号レート及びＵＣＩの生成されたビットの数に従って、送信されるべきアップリンク制御情報ＵＣＩのビットの数を決定し、このとき、送信されるべきＵＣＩのビットの数は、ＵＣＩの生成されたビットの数以下である。相応して、ネットワークデバイスは、閾符号レート及びアップリンク制御情報ＵＣＩの生成されたビットの数に従って、受信されるべきＵＣＩのビットの数を決定する。
【０１５２】
任意に、可能な実施において、送信されるＵＣＩの利用可能なリソースの量は、上記の式（１）から（３）を使用することによって求められる。
【０１５３】
他の可能な実施では、次の式（４）から（６）が使用される：
【数２】
2021513275.tif 000013
【０１５４】
式（１）から（３）とは異なり、対応するαの値は、異なるＵＣＩ値ごとに異なり得る。かような設計の利点は、異なるＵＣＩによって占有される上方境界が異なるように、αの異なる値が異なるＵＣＩごとにセットされることであり、それによって、あるタイプのＵＣＩのデータの量がデータを超えることを防ぐ。式のｍｉｎ演算は常に、右の項目をとる。結果として、全てのリソースがあるタイプのＵＣＩに割り当てられ、他のＵＣＩには割り当てられ得ない。
【０１５５】
例えば、式（１）に従って、
（外７）
2021513275.tif 000014
の場合に、βパラメータは１以上の項目であるから、ｍｉｎ演算は、大部分は右の項目をとる。この場合に、
（外８）
2021513275.tif 000015
の全てのリソースは、ＨＡＲＱ−ＡＣＫに割り当てられる。計算が再び式（２）を使用することによって行われるとき、式（２）中の右の項目は０である。従って、ＣＳＩパート１にはリソースが割り当てられ得ず、ＣＳＩパート２にはリソースが割り当てられ得ない。
【０１５６】
なお、αの異なる値がＵＣＩのタイプごとに構成されてもよく、例えば、α０の値が０．５であり、α１の値が０．６であり、α２の値が０．８である、場合には、リソースがＵＣＩの各タイプに割り当てられ得ることが確かにされる。
【０１５７】
他の可能な実施では、（７）から（９）が使用される。式（７）は、式（１）と同じである：
【数３】
2021513275.tif 000016
【０１５８】
この方法の利点は、たとえ式（７）において全てのリソース
（外９）
2021513275.tif 000017
がＨＡＲＱ−ＡＣＫに割り当てられるとしても、式（８）において、ＨＡＲＱ−ＡＣＫのリソースが全体のリソースから除かれた後に、次いで、残りのリソースのうちのαの割合のリソースがＣＳＩパート１に割り当てられ、式（９）において、ＨＡＲＱ−ＡＣＫ及びＣＳＩパート１のリソースが全体のリソースから除かれた後に、次いで、残りのリソースのうちのαの割合のリソースがＣＳＩパート２に割り当てられる、ことにある。この動作に従って、リソースは、ＵＣＩの各タイプ及びデータに割り当てられ得ることが確かにされる。
【０１５９】
他の方法では、式（１０）から（１２）が使用される。上記の２つの方法の組み合わせが、次の通りに考えらる：
【数４】
2021513275.tif 000018
【０１６０】
ＵＣＩのみが対応するリソースで送信されることを基地局がＵＥに知らせる場合に、ＵＥは、割り当てられたリソース及び合意された方法に従ってリソースをＵＣＩに割り当てる。
【０１６１】
ＨＡＲＱ−ＡＣＫについての可能な実施では、式（１３）及び（１３ａ〜ｈ）が使用される。  
【数５】
2021513275.tif 000019
【０１６２】
ＯＣＳＩ−１＋ＬＣＩＳ−１は、ＣＲＣ検査が実施された後に得られるＣＳＩパート１のビットの数を表し、βｏｆｆｓｅｔＰＵＳＣＨ＝βｏｆｆｓｅｔＨＡＲＱ−ＡＣＫ／βｏｆｆｓｅｔＣＳＩ−ｐａｒｔ１。他の可能な式では、αが導入される。αは、１以下の数であり、次のように、異なるＵＣＩごとに異なる値が使用されてよい：
【数６】
2021513275.tif 000020
【０１６３】
この方法では、全ての利用可能なリソースがＨＡＲＱ−ＡＣＫに割り当てられることは防がれる。
【０１６４】
他の可能な方法では、（１３−ｂ）が使用される：
【数７】
2021513275.tif 000021
【０１６５】
ＯＣＳＩ−２＋ＬＣＩＳ−２は、ＣＲＣ検査が実施された後に得られるＣＳＩパート２のビットの数を表す。
【０１６６】
他の可能な実施では、αが導入される。αは、１以下の数であり、次（１３−ｃ）のように、異なるＵＣＩごとに異なる値が使用されてよい：
【数８】
2021513275.tif 000022
【０１６７】
他の可能な方法では、（１３−ｄ）が使用される：
【数９】
2021513275.tif 000023
【０１６８】
他の可能な式では、αが導入される。αは、１以下の数であり、次（１３−ｅ）のように、異なるＵＣＩごとに異なる値が使用されてよい：
【数１０】
2021513275.tif 000024
【０１６９】
可能な方法では、基準符号レートが導入される。βｏｆｆｓｅｔＰＵＳＣＨ＝βｏｆｆｓｅｔＨＡＲＱ−ＡＣＫ又はβｏｆｆｓｅｔＰＵＳＣＨ＝βｏｆｆｓｅｔＨＡＲＱ−ＡＣＫ／βｏｆｆｓｅｔＣＳＩ−ｐａｒｔ１又はβｏｆｆｓｅｔＰＵＳＣＨ＝βｏｆｆｓｅｔＨＡＲＱ−ＡＣＫ／βｏｆｆｓｅｔＣＳＩ−ｐａｒｔ２：
【数１１】
2021513275.tif 000025
【０１７０】
ＣＳＩパート１について、可能な式は次の通りであり：（１４）及び（１４ａ〜ｈ）。αは１以下の数であり、βｏｆｆｓｅｔＰＵＳＣＨ＝βｏｆｆｓｅｔＣＳＩ−１／βｏｆｆｓｅｔＣＳＩ−２の異なる値は異なるＵＣＩごとに使用されてよい：
【数１２】
2021513275.tif 000026
【０１７１】
分母は変更される：
【数１３】
2021513275.tif 000027
【０１７２】
データが存在する場合に式を使用することが更に考えられてよく、ＭＣＳフィールドは、基準符号レートＣＲＥＦを示すために使用され、βｏｆｆｓｅｔＰＵＳＣＨ＝βｏｆｆｓｅｔＣＳＩ−１／βｏｆｆｓｅｔＣＳＩ−２又はβｏｆｆｓｅｔＰＵＳＣＨ＝βｏｆｆｓｅｔＣＳＩ−１。αは、１以下の数であり、異なるＵＣＩごとに異なる値が使用されてよく、計算は、符号レートに従って実行される：
【数１４】
2021513275.tif 000028
【０１７３】
ＣＳＩパート２について、利用可能リソースの量は、次の通りである：
【数１５】
2021513275.tif 000029
【０１７４】
上記の複数の実施に従って計算によって求められるＣＳＩパート２のリソースは、ＣＳＩパート２のリソース、ＭＣＳフィールドに示される変調次数、及び対応する基準符号レート（すなわち、第１符号レート）に従って、破棄されるビットの数を決定するために、使用されてよい。ＡはＣＳＩパート２の生成されたビットの数であり、Ａ０は破棄されるビットの数である、と考えられる。従って、Ａ及びＡ０は次の条件を満足し、破棄は、表２中の指定された優先度に従って実行される。
【数１６】
2021513275.tif 000030
【０１７５】
ステップ７５０：端末デバイスは、破棄される必要があるＵＣＩの一部又は全部のビットの数を決定し、すなわち、送信されるべき又は実際に送信されるＵＣＩのビットの数を決定し、このとき、送信されるべきＵＣＩのビットの数は、ＵＣＩの生成されたビットの数以下である。実際に送信されるＵＣＩのビットの計算された数は、ネットワークデバイスへ送信され、ネットワークデバイスは、ＵＣＩのビットの対応する数を受信する。
【０１７６】
代替的に、ステップ７６０：送信されるべきアップリンクデータ及びＵＣＩがあるとき、計算は式（１）から（３）に従って実行され、破棄される必要があるＵＣＩの一部又は全部（例えば、ＣＳＩパート２の一部又は全部）のビットの数が決定され、それにより、送信されるべき又は実際に送信されるＵＣＩのビットの数は決定され、実際に送信されるＵＣＩのビットの計算された数及びアップリンクデータはネットワークデバイスへ送信され、ネットワークデバイスはＵＣＩのビットの対応する数及び対応するアップリンクデータを受信する。
【０１７７】
上記の技術的解決法に従って、アップリンク制御情報ＵＣＩのみが物理アップリンクチャネルで送信されるべきであるとき、ネットワークデバイス及び端末デバイスは、アップリンク制御情報ＵＣＩの生成されたビットの数及び閾符号レートに従って、送信されるＵＣＩのビットの数を送信又は受信するために、変調及び符号化スキームＭＣＳ識別子に従って閾符号レートを別々に決定し得る。従って、端末デバイスは、ＵＣＩデータの有効な送信を確かにするように、リソースを適切に割り当てることができ、ネットワークデバイスは、データ伝送信頼性を改善するように、ＵＣＩを正確に受信することができる。その上、物理アップリンクチャネルが十分なリソースを有しているとき、端末デバイスは更に、物理アップリンクチャネルで同時にアップリンク制御情報及びアップリンクデータを送信してもよい。これはリソース利用を改善し、そして、アップリンク制御情報の正確な受信に影響を及ぼさない。全体として、これは、通信システムの伝送性能を改善することを助ける。
【０１７８】
本願のこの実施形態で提供される通信方法は、ネットワークデバイスと端末デバイスとの間の相互作用を一例として使用することによって、単に理解を容易にするために先に詳細に記載されているが、これは本願に対する如何なる制限も構成すべきでない、ことが理解されるべきである。例えば、端末デバイスへダウンリンク制御情報を送信するネットワークデバイスと、アップリンク制御情報を受信するネットワークデバイスとは、同じネットワークデバイス、又は異なるネットワークデバイスであってよい。これは本願で制限されない。
【０１７９】
図７は、理解を容易にするために、端末デバイス及びネットワークデバイスによって実行されるステップのほんの一例を示すが、これは、端末デバイス及びネットワークデバイスが図示されている各ステップを実行することを示すわけではない、ことが更に理解されるべきである。例えば、端末デバイスは、物理アップリンクチャネルの割り当てられているリソースと符号レート閾値との間の関係に従って、ステップ７１０又はステップ７６０のどちらか一方が実行されると決定してよい。
【０１８０】
上記の実施形態は計算プロセスを表す、ことが留意されるべきである。なお、これは、単に、閾値を計算する可能な実施を表し、本願に対する如何なる制限も構成すべきではない。閾値計算方法は、本願のこの実施形態で特に制限されない。
【０１８１】
本願は更に方法を提供する。端末デバイスは、ネットワークデバイスの指示に従って、物理アップリンクチャネルで送信されるべきＵＣＩを直接決定してもよい。図８は、デバイス相互作用の観点から本願の他の実施形態に従う通信方法８００の略フローチャートである。
【０１８２】
図８に示されるように、方法８００はステップ８１０からステップ８４０を含む。
【０１８３】
ステップ８１０：端末デバイスは第３指示情報を受信し、第３指示情報は、端末デバイスによって送信されるべきＵＣＩを示す。
【０１８４】
相応して、ネットワークデバイスは第３指示情報を送信し、第３指示情報は、物理アップリンクチャネルで端末デバイスによって送信されるべきＵＣＩを示す。
【０１８５】
具体的に、第３指示情報は、上位レイヤシグナリング、例えば、ＲＲＣメッセージ又はＭＡＣ  ＣＥにおいて運ばれる情報であってよい。代替的に、第３指示情報は、物理レイヤシグナリングにおいて運ばれる情報、例えば、ＤＣＩであってよい。第３指示情報は、上位レイヤシグナリング又は物理レイヤシグナリングにおける新たに付加されたフィールドを使用することによって、物理アップリンクチャネルで端末デバイスによって送信されるべきＵＣＩを示してもよい。
【０１８６】
例えば、新たに付加されたフィールドが“０”にセットされるとき、それは、アップリンク制御情報のみが物理アップリンクチャネルで送信されるべきであることを示してよく、送信され得るＵＣＩのビットの数は直接示される。新たに付加されたフィールドが“１”にセットされるとき、それは、アップリンク制御情報及びアップリンクデータが物理アップリンクチャネルで送信されるべきであることを示してよく、送信され得るＵＣＩ及びアップリンクデータのビットの数は直接示される。代替的に、新たに付加されたフィールドが“００”にセットされるとき、それは、アップリンク制御情報のみが物理アップリンクチャネルで送信されるべきであることを示してよく、送信され得るＵＣＩのビットの数は直接示される。新たに付加されたフィールドが“０１”にセットされるとき、それは、アップリンク制御情報及びアップリンクデータが物理アップリンクチャネルで送信されるべきであることを示してよく、送信され得るＵＣＩ及びアップリンクデータのビットの数は直接示される。新たに付加されたフィールドが“１０”にセットされるとき、それは、アップリンクデータが物理アップリンクチャネルで送信されるべきであることを示してよく、送信され得るアップリンクデータのビットの数は直接示される。新たに付加されたフィールドは、“１１”にセットされるときに、リザーブ状態にある。
【０１８７】
先に挙げられている、第３指示情報を運ぶシグナリングと、第３指示情報を運ぶフィールドと、上記の列挙フィールドを使用することによって、アップリンク制御情報のみが物理アップリンクチャネルで送信されるべきであるかどうかを示す具体的な方法とは、説明のための例に過ぎず、本願に対する如何なる制限も構成すべきでない、ことが理解されるべきである。例えば、第１指示情報は、代替的に、他の既存のフィールドを使用することによって示されてもよい。これは本願で制限されない。
【０１８８】
ステップ８２０：第３指示情報が、物理アップリンクチャネルで送信され得るアップリンク制御情報のビットの数を示すとき、端末デバイス及びネットワークデバイスは、ＵＣＩのビットの示されている量しか物理アップリンクチャネルで送信されるべきでないと決定する。
【０１８９】
端末デバイスは、ＵＣＩのビットの示されている量のみを物理アップリンクチャネルで送信し、相応して、ネットワークデバイスは、ＵＣＩのビットの示されている量のみを物理アップリンクチャネルで受信する。
【０１９０】
ステップ８２０の具体的なプロセスは、上記の方法７００におけるステップ７４０の具体的なプロセスと同じである、ことが理解されるべきである。簡潔さのために、詳細はここで再び記載されない。
【０１９１】
任意に、方法８００はステップ８４０を更に含む：物理アップリンクチャネルで送信されるのがアップリンク制御情報だけではないことを第３指示情報が示すとき、端末デバイスは、物理アップリンクチャネルでアップリンク制御情報及びアップリンクデータを送信するか、あるいは、アップリンクデータを送信する。
【０１９２】
相応して、ステップ８４０：物理アップリンクチャネルで送信されるのがアップリンク制御情報だけではないことを第３指示情報が示すとき、ネットワークデバイスは、物理アップリンクチャネルでアップリンク制御情報及びアップリンクデータを受信するか、あるいは、アップリンクデータを受信する。
【０１９３】
ステップ８４０の具体的なプロセスは、上記の方法７００におけるステップ７６０の具体的なプロセスと同じである、ことが理解されるべきである。この場合に、端末デバイスがアップリンク制御情報及びアップリンクデータを送信し得ること、及びこの場合に、端末デバイスがアップリンクデータしか送信しなくてもよいことは、具体的な場合を参照して上述されている。簡潔さのために、詳細はここで記載されない。
【０１９４】
上記の技術的解決法に従って、端末デバイスは、ネットワークデバイスの指示に従って、物理アップリンクチャネルで送信されるべきコンテンツを決定してよく、ネットワークデバイスも、同じ指示に従って、対応するコンテンツを物理アップリンクチャネルで受信し得る。従って、ネットワークデバイスは、アップリンク制御情報及び／又はアップリンクデータを正確に受信することができる。これは、データ伝送信頼性を改善することを助け、従って、通信システムの伝送性能を改善することを助ける。
【０１９５】
本願のこの実施形態で提供される通信方法は、ネットワークデバイスと端末デバイスとの間の相互作用を一例として使用することによって、単に理解を容易にするために先に詳細に記載されているが、これは本願に対する如何なる制限も構成すべきでない、ことが理解されるべきである。例えば、端末デバイスへ構成パラメータに関する情報を送信するネットワークデバイスと、アップリンク制御情報を受信するネットワークデバイスとは、同じネットワークデバイス、又は異なるネットワークデバイスであってよい。これは本願で制限されない。
【０１９６】
プロセスの連続番号は、本願の様々な実施形態において実行順序を示さない、ことが更に理解されるべきである。プロセスの実行順序は、プロセスの内部ロジック及び関数に従って決定されるべきであり、本願の実施形態の実施プロセスに対する如何なる制限も構成すべきではない。
【０１９７】
以上は、図７及び図８を参照して本願の実施形態における通信方法について詳細に記載する。以下は、図９乃至図１２を参照して本願の実施形態における通信装置について詳細に記載する。
【０１９８】
図９は、本願の実施形態に従う通信装置の略ブロック図である。図９に示されるように、通信装置９００は、決定ユニット９１０及びトランシーバユニット９２０を含んでよい。
【０１９９】
可能な設計において、通信装置９００は、端末デバイス又は端末デバイスで構成されたチップであってよい。
【０２００】
可能な実施において、決定ユニット９１０は、変調及び符号化スキームＭＣＳに従って閾符号レートを決定するよう構成されてよい。
【０２０１】
決定ユニット９１０は、閾符号レートと、アップリンク制御情報ＵＣＩの生成されたビットの数とに従って、送信されるべきＵＣＩのビットの数を決定するよう更に構成され、このとき、送信されるべきＵＣＩのビットの数は、ＵＣＩの前記生成されたビットの数以下である。
【０２０２】
トランシーバユニット９２０は、送信されるべきＵＣＩを送信するよう構成される。
【０２０３】
任意に、決定ユニット９１０は、ＭＣＳ識別子が第１範囲内にあるときに、ＭＣＳ識別子と第１符号レートとの間の予め定義された一対一対応に従って第１符号レートを決定し、第１符号レートを閾符号レートとして決定するか、あるいは、第１符号レート及び１以上であるオフセットβに従って閾符号レートを決定するよう特に構成されてよい。
【０２０４】
任意に、決定ユニット９１０は、ＭＳＣ識別子が第２範囲内にあるときに、ＭＣＳ識別子に従って変調次数を決定し、変調次数と第１符号レートとの間の対応に従って第１符号レートを決定し、第１符号レートを閾符号レートとして決定するか、あるいは、第１符号レート及び１以上であるオフセットβに従って閾符号レートを決定するよう特に構成されてよい。
【０２０５】
可能な実施において、変調次数が複数の第１符号レートに対応する場合に、決定ユニット９１０は、複数の第１符号レートの中の最大符号レートを第１符号レートとして決定するよう構成されてよい。代替的に、変調次数が複数の第１符号レートに対応する場合に、決定ユニット９１０は、複数の第１符号レートの中の最小符号レートを第１符号レートとして決定するよう構成されてよい。代替的に、変調次数が複数の第１符号レートに対応する場合に、決定ユニット９１０は、第１指示情報に従って第１符号レートを決定するよう構成されてよく、このとき、第１指示情報は、ダウンリンク制御情報ＤＣＩにおいて運ばれる情報である。
【０２０６】
代替的に、ＭＣＳ識別子が第２範囲内にあるときに、決定ユニット９１０は、ＭＣＳ識別子と第１符号レートとの間の予め定義された一対一対応に従って第１符号レートを決定し、第１符号レートを閾符号レートとして決定するか、あるいは、第１符号レート及び１以上であるオフセットβに従って閾符号レートを決定するよう構成されてよい。
【０２０７】
任意に、決定ユニット９１０は、ＵＣＩのみが物理アップリンクチャネルで送信されるべきであるかどうかを判定するよう更に構成されてよい。
【０２０８】
具体的に、決定ユニット９１０は、ＤＣＩにおいて運ばれる情報である第２指示情報に従って、ＵＣＩのみが物理アップリンクチャネルで送信されるべきであるかどうかを判定するか、あるいは、ＭＣＳ識別子、冗長性バージョンＲＶインジケータ、及び新規データインジケータＮＤＩに従って、ＵＣＩのみが物理アップリンクチャネルで送信されるべきであるかどうかを判定してよい。
【０２０９】
通信装置９００は、本願の実施形態における通信方法７００での端末デバイス又はネットワークデバイスに対応してよい、ことが理解されるべきである。通信装置９００は、図７の通信方法７００で端末デバイス又はネットワークデバイスによって実行される方法を実行するよう構成されたモジュールを含んでよい。その上、通信装置９００内のモジュール並びに上記の他の動作及び／又は機能は別々に、図７の通信方法７００の対応するプロシージャを実装すべきである。具体的に、決定ユニット９１０は、方法７００のステップ７２０、ステップ７３０、及びステップ７４０を実行するよう構成され、トランシーバユニット９２０は、方法７００のステップ７１０、７５０又は７６０を実行するよう構成される。各ユニットが上記の対応するステップを実行する具体的なプロセスは、方法７００において詳細に記載されている。簡潔さのために、詳細はここで再び記載されない。
【０２１０】
具体的に、通信装置９００は、本願の実施形態における通信方法８００での端末デバイスに対応してよい。通信装置９００は、図８の通信方法８００で端末デバイスによって実行される方法を実行するよう構成されたモジュールを含んでよい。その上、通信装置９００内のモジュール並びに上記の他の動作及び／又は機能は別々に、図８の通信方法８００の対応するプロシージャを実装すべきである。具体的に、トランシーバユニット９２０は、方法８００のステップ５２０を実行するよう構成される。各ユニットが上記の対応するステップを実行する具体的なプロセスは、方法８００において詳細に記載されている。簡潔さのために、詳細はここで再び記載されない。
【０２１１】
他の可能な設計において、通信装置９００は、端末デバイス又は端末デバイスで構成されたチップであってよい。
【０２１２】
図１０は、本願の実施形態に従う通信装置の略ブロック図である。図１０に示されるように、通信装置１０００は、決定ユニット１０１０及びトランシーバユニット１０２０を含んでよい。
【０２１３】
可能な設計において、通信装置１０００は、ネットワークデバイス又はネットワークデバイスで構成されたチップであってよい。
【０２１４】
可能な実施において、決定ユニット１０１０は、変調及び符号化スキームＭＣＳ識別子に従って閾符号レートを決定するよう構成されてよい。
【０２１５】
決定ユニット１０１０は、閾符号レートと、アップリンク制御情報ＵＣＩの生成されたビットの数とに従って、送信されるべきＵＣＩのビットの数を決定するよう更に構成されてよく、このとき、送信されるべきＵＣＩのビットの数は、ＵＣＩの生成されたビットの数以下である。
【０２１６】
トランシーバユニット１０２０は、送信されるべきＵＣＩを送信するよう構成される。
【０２１７】
任意に、決定ユニット１０１０は、ＭＣＳ識別子が第１範囲内にあるときに、ＭＣＳ識別子と第１符号レートとの間の予め定義された一対一対応に従って第１符号レートを決定し、第１符号レートを閾符号レートとして決定するか、あるいは、第１符号レート及び１以上であるオフセットβに従って閾符号レートを決定するよう特に構成されてよい。
【０２１８】
任意に、決定ユニット１０１０は、ＭＳＣ識別子が第２範囲内にあるときに、ＭＣＳ識別子に従って変調次数を決定し、変調次数と第１符号レートとの間の対応に従って第１符号レートを決定し、第１符号レートを前記閾符号レートとして決定するか、あるいは、第１符号レート及び１以上であるオフセットβに従って閾符号レートを決定するよう更に構成されてよい。
【０２１９】
可能な実施において、変調次数が複数の第１符号レートに対応する場合に、決定ユニット１０１０は、複数の第１符号レートの中の最大符号レートを第１符号レートとして決定するよう構成されてよい。代替的に、変調次数が複数の第１符号レートに対応する場合に、決定ユニット１０１０は、複数の第１符号レートの中の最小符号レートを第１符号レートとして決定するよう構成されてよい。代替的に、変調次数が複数の第１符号レートに対応する場合に、決定ユニット１０１０は、第１指示情報に従って第１符号レートを決定するよう構成されてよく、このとき、第１指示情報は、ダウンリンク制御情報ＤＣＩにおいて運ばれる情報である。
【０２２０】
代替的に、ＭＣＳ識別子が第２範囲内にあるときに、決定ユニット１０１０は、ＭＣＳ識別子と第１符号レートとの間の予め定義された一対一対応に従って第１符号レートを決定し、第１符号レートを閾符号レートとして決定するか、あるいは、第１符号レート及び１以上であるオフセットβに従って閾符号レートを決定するよう構成されてよい。
【０２２１】
任意に、決定ユニット１０１０は、ＵＣＩのみが物理アップリンクチャネルで送信されるべきであるかどうかを判定するよう更に構成されてよい。
【０２２２】
具体的に、決定ユニット１０１０は、ＤＣＩにおいて運ばれる情報である第２指示情報に従って、ＵＣＩのみが物理アップリンクチャネルで送信されるべきであるかどうかを判定するか、あるいは、ＭＣＳ識別子、冗長性バージョンＲＶインジケータ、及び新規データインジケータＮＤＩに従って、ＵＣＩのみが物理アップリンクチャネルで送信されるべきであるかどうかを判定してよい。
【０２２３】
通信装置１０００は、本願の実施形態における通信方法７００でのネットワークデバイスに対応してよい、ことが理解されるべきである。通信装置１０００は、図７の通信方法７００でネットワークデバイスによって実行される方法を実行するよう構成されたモジュールを含んでよい。その上、通信装置１０００内のモジュール並びに上記の他の動作及び／又は機能は別々に、図７の通信方法７００の対応するプロシージャを実装すべきである。具体的に、決定ユニット１０１０は、方法７００のステップ７２０、ステップ７３０、及びステップ７４０を実行するよう構成され、トランシーバユニット１０２０は、方法７００のステップ７１０、７５０又は７６０を実行するよう構成される。各ユニットが上記の対応するステップを実行する具体的なプロセスは、方法７００において詳細に記載されている。簡潔さのために、詳細はここで再び記載されない。
【０２２４】
具体的に、通信装置１０００は、本願の実施形態における通信方法８００でのネットワークデバイスに対応してよい。通信装置１０００は、図８の通信方法８００でネットワークデバイスによって実行される方法を実行するよう構成されたモジュールを含んでよい。その上、通信装置１０００内のモジュール並びに上記の他の動作及び／又は機能は別々に、図８の通信方法８００の対応するプロシージャを実装すべきである。具体的に、トランシーバユニット１０２０は、方法８００のステップ５２０を実行するよう構成される。各ユニットが上記の対応するステップを実行する具体的なプロセスは、方法８００において詳細に記載されている。簡潔さのために、詳細はここで再び記載されない。
【０２２５】
他の可能な設計において、通信装置１０００は、ネットワークデバイス又はネットワークデバイスで構成されたチップであってよい。
【０２２６】
図１１は、本願の実施形態に従う端末デバイス１１００の略構造図である。図１１に示されるように、端末デバイス１１００は、プロセッサ１１１０及びトランシーバ１１２０を含む。任意に、端末デバイス１１００は、メモリ１１３０を更に含む。プロセッサ１１１０、トランシーバ１１２０、及びメモリ１１３０は、制御信号及び／又はデータ信号を伝送するために内部接続チャネルを通じて互いと通信する。メモリ１１３０は、コンピュータプログラムを記憶するよう構成される。プロセッサ１１１０は、メモリ１１３０からコンピュータプログラムを呼び出し、コンピュータプログラムを実行して、信号を受信及び送信するようにトランシーバ１１２０を制御するよう構成される。
【０２２７】
プロセッサ１１１０及びメモリ１１３０は、１つの処理装置に組み込まれてよい。プロセッサ１１１０は、上記の機能を実装するように、メモリ１１３０に記憶されているプログラムコードを実行するよう構成される。具体的な実施では、メモリ１１３０は、代替的に、プロセッサ１１１０に組み込まれてもよく、あるいは、プロセッサ１１１０から独立していてもよい。
【０２２８】
端末デバイスは、アンテナ１１４０を更に含んでよく、アンテナ１１４０は、無線信号を使用することによって、トランシーバ１１２０によって出力されるダウンリンクデータ又はダウンリンク制御シグナリングを送信するよう構成される。
【０２２９】
具体的に、端末デバイス１１００は、本願の実施形態における通信方法７００での端末デバイスに対応してよい。端末デバイス１１００は、図７の通信方法７００で端末デバイスによって実行される方法を実行するよう構成されたモジュールを含んでよい。その上、端末デバイス１１００内のモジュール並びに上記の他の動作及び／又は機能は別々に、図７の通信方法７００の対応するプロシージャを実装すべきである。具体的に、メモリ１１３０は、プロセッサ１１１０が、プログラムコードを実行するときに、方法７００のステップ７２０、ステップ７３０、及びステップ７４０を実行し、かつ、アンテナ１１４０を使用することによって方法７００のステップ７１０、７５０又は７６０を実行するようにトランシーバ１１２０を制御するように、プログラムコードを記憶するよう構成される。各モジュールによって上記の対応するステップを実行する具体的なプロセスは、方法７００において詳細に記載されている。簡潔さのために、詳細はここで再び記載されない。
【０２３０】
代替的に、端末デバイス１１００は、本願の実施形態における通信方法８００での端末デバイスに対応してよい。端末デバイス１１００は、図８の通信方法８００で端末デバイスによって実行される方法を実行するよう構成されたモジュールを含んでよい。その上、端末デバイス１１００内のモジュール並びに上記の他の動作及び／又は機能は別々に、図８の通信方法８００の対応するプロシージャを実装すべきである。具体的に、メモリ１１５０は、プロセッサ１１１０が、プログラムコードを実行するときに、方法８００のステップ８２０を実行し、かつ、アンテナ１１４０を使用することによって方法８００のステップ８１０、ステップ８３０、又はステップ８４０を実行するようにトランシーバ１１２０を制御するように、プログラムコードを記憶するよう構成される。各モジュールによって上記の対応するステップを実行する具体的なプロセスは、方法５００において詳細に記載されている。簡潔さのために、詳細はここで再び記載されない。
【０２３１】
図１２は、本願の実施形態に従う端末デバイス１２００の略構造図である。図１２に示されるように、端末デバイス１２００は、プロセッサ１２０１及びトランシーバ１２０２を含む。任意に、端末デバイス１２００は、メモリ１２０３を更に含む。プロセッサ１２０２、トランシーバ１２０２、及びメモリ１２０３は、制御信号及び／又はデータ信号を伝送するために内部接続チャネルを通じて互いと通信する。メモリ１２０３は、コンピュータプログラムを記憶するよう構成される。プロセッサ１２０１は、メモリ１２０３からコンピュータプログラムを呼び出し、コンピュータプログラム実行して、信号を受信及び送信するようにトランシーバ１２０２を制御するよう構成される。
【０２３２】
プロセッサ１２０１及びメモリ１２０３は、１つの処理装置１２０４に組み込まれてよい。プロセッサ１２０１は、上記の機能を実装するように、メモリ１２０３に記憶されているプログラムコードを実行するよう構成される。具体的な実施では、メモリ１２０３は、代替的に、プロセッサ１２０１に組み込まれてもよく、あるいは、プロセッサ１２０１から独立していてもよい。端末デバイス１２００は、アンテナ１２１０を更に含んでよく、アンテナ１２１０は、無線信号を使用することによって、トランシーバ１２０２によって出力されるアップリンクデータ又はアップリンク制御シグナリングを送信するよう構成される。
【０２３３】
具体的に、端末デバイス１２００は、本願の実施形態における通信方法７００での端末デバイスに対応してよい。端末デバイス１２００は、図７の通信方法７００で端末デバイスによって実行されるよう方法を実行するよう構成されたモジュールを含んでよい。その上、通信装置１２００内のモジュール並びに上記の他の動作及び／又は機能は別々に、図７の通信方法７００の対応するプロシージャを実装すべきである。具体的に、メモリ１２０３は、プロセッサ１２０１が、プログラムコードを実行するときに、方法７００のステップ７２０からステップ７４０を実行し、かつ、方法７００のステップ７１０、ステップ７５０又はステップ７６０を実行するようにトランシーバ１２０２を制御するように、プログラムコードを記憶するよう構成される。各モジュールによって上記の対応するステップを実行する具体的なプロセスは、方法７００において詳細に記載されている。簡潔さのために、詳細はここで再び記載されない。
【０２３４】
代替的に、端末デバイス１２００は、本願の実施形態における通信方法８００での端末デバイスに対応してよい。端末デバイス１２００は、図８の通信方法８００で端末デバイスによって実行されるよう方法を実行するよう構成されたモジュールを含んでよい。その上、通信装置１２００内のモジュール並びに上記の他の動作及び／又は機能は別々に、図８の通信方法８００の対応するプロシージャを実装すべきである。具体的に、メモリ１２０３は、プロセッサ１２０１が、プログラムコードを実行するときに、方法８００を実行し、かつ、方法８００のステップ８１０、ステップ８３０又はステップ８４０を実行するようにトランシーバ１２０２を制御するように、プログラムコードを記憶するよう構成される。各モジュールによって上記の対応するステップを実行する具体的なプロセスは、方法８００において詳細に記載されている。簡潔さのために、詳細はここで再び記載されない。
【０２３５】
プロセッサ１２０１は、上記の方法の実施形態で記載される動作であって、端末によって内部で実装される動作を実行するよう構成されてよく、トランシーバ１２０２は、上記の方法の実施形態で記載される動作であって、端末デバイスに対して端末によって実行される伝送又は送信の動作を実行するよう構成される。詳細については、上記の方法の実施形態における説明を参照されたい。詳細はここで記載されない。
【０２３６】
プロセッサ１２０１及びメモリ１２０３は、１つの処理装置に組み込まれてよい。プロセッサ１２０１は、上記の機能を実装するように、メモリ１２０３に記憶されているプログラムコードを実行するよう構成される。具体的な実施において、メモリ１２０３は、代替的に、プロセッサ１２０１に組み込まれてもよい。
【０２３７】
端末デバイス１２００は、端末内の様々なコンポーネント又は回路へ電力を供給するよう構成された電源１２０５を更に含んでよい。
【０２３８】
加えて、端末デバイス１２００は、端末デバイスの機能を更に改善するように、入力ユニット１２１４、表示ユニット１２１６、オーディオ回路１２１８、カメラ１２２０、及びセンサ１２２２のうちの１つ以上を更に含んでよい。オーディオ回路は、スピーカ１２８２、マイクロホン１２８４、などを更に含んでよい。
【０２３９】
図１３は、本願の実施形態に従うネットワークデバイス１３００の略構造図である。図１３に示されるように、ネットワークデバイス１３００は、プロセッサ１３１０及びトランシーバ１３２０を含む。任意に、ネットワークデバイス１３００は、メモリ１３３０を更に含む。プロセッサ１３１０、トランシーバ１３２０、及びメモリ１３３０は、制御信号及び／又はデータ信号を伝送するために内部接続チャネルを通じて互いと通信する。メモリ１３３０は、コンピュータプログラムを記憶するよう構成される。プロセッサ１３１０は、メモリ１３３０からコンピュータプログラムを呼び出し、コンピュータプログラムを実行して、信号を受信及び送信するようにトランシーバ１３２０を制御するよう構成される。
【０２４０】
プロセッサ１３１０及びメモリ１３３０は、１つの処理装置に組み込まれてよい。プロセッサ１３１０は、上記の機能を実装するように、メモリ１３３０に記憶されているプログラムコードを実行するよう構成される。具体的な実施では、メモリ１３３０は、代替的に、プロセッサ１３１０に組み込まれてもよく、あるいは、プロセッサ１３１０から独立していてもよい。
【０２４１】
ネットワークデバイスは、アンテナ１３４０を更に含んでよく、アンテナ１３４０は、無線信号を使用することによって、トランシーバ１３２０によって出力されるダウンリンクデータ又はダウンリンク制御シグナリングを送信するよう構成される。
【０２４２】
具体的に、ネットワークデバイス１３００は、本願の実施形態における通信方法７００でのネットワークデバイスに対応してよい。ネットワークデバイス１３００は、図７の通信方法７００でネットワークデバイスによって実行される方法を実行するよう構成されたモジュールを含んでよい。その上、ネットワークデバイス１３００内のモジュール並びに上記の他の動作及び／又は機能は別々に、図７の通信方法７００の対応するプロシージャを実装すべきである。具体的に、メモリ１３３０は、プロセッサ１３１０が、プログラムコードを実行するときに、方法７００のステップ７２０、ステップ７３０、及びステップ７４０を実行し、かつ、アンテナ１３４０を使用することによって方法７００のステップ７１０、７５０又は７６０を実行するようにトランシーバ１３２０を制御するように、プログラムコードを記憶するよう構成される。各モジュールによって上記の対応するステップを実行する具体的なプロセスは、方法７００において詳細に記載されている。簡潔さのために、詳細はここで再び記載されない。
【０２４３】
代替的に、ネットワークデバイス１３００は、本願の実施形態における通信方法８００でのネットワークデバイスに対応してよい。ネットワークデバイス１３００は、図８の通信方法８００でネットワークデバイスによって実行される方法を実行するよう構成されたモジュールを含んでよい。その上、端末デバイス１３００内のモジュール並びに上記の他の動作及び／又は機能は別々に、図８の通信方法８００の対応するプロシージャを実装すべきである。具体的に、メモリ１３５０は、プロセッサ１３１０が、プログラムコードを実行するときに、方法８００のステップ８２０を実行し、かつ、アンテナ１３４０を使用することによって方法８００のステップ８１０、ステップ８３０、又はステップ８４０を実行するようにトランシーバ１３２０を制御するように、プログラムコードを記憶するよう構成される。各モジュールによって上記の対応するステップを実行する具体的なプロセスは、方法８００において詳細に記載されている。簡潔さのために、詳細はここで再び記載されない。
【０２４４】
図１４は、本願の実施形態に従うネットワークデバイス１４００の略構造図である。ネットワークデバイス１４００は、上記方法のうちの方法７００又は８００におけるネットワークデバイスの機能を実行するよう構成されてよい。例えば、図１４は、基地局の略構造図であってよい。図１４に示されるように、基地局は、図１に示されるシステムに適用されてよい。基地局１４００は、リモート・ラジオ・ユニット（remote  radio  unit，ＲＲＵ）１４０１などの１つ以上の無線周波数ユニットと、１つ以上のベースバンド・ユニット（baseband  unit，ＢＢＵ）（デジタル・ユニット，digital  units，ＤＵとも呼ばれる）１４０２とを含む。ＲＲＵ１４０１は、トランシーバユニット、トランシーバマシン、トランシーバ回路、トランシーバ、などと呼ばれることがあり、少なくとも１つのアンテナ１４０３及び無線周波数ユニット１４０４を含んでよい。ＲＲＵ１４０１は主に、無線周波数信号の受信及び送信と、無線周波数信号とベースバンド信号との間の変換とを実行し、例えば、上記の実施形態におけるシグナリングメッセージを端末デバイスへ送信する、よう構成される。ＢＢＵ１４０２は主に、ベースバンド処理、基地局の制御、などを実行するよう構成される。ＲＲＵ１４０１及びＢＢＵ１４０２は、物理的に一緒に配置されてよく、あるいは、物理的に別々に、具体的に言えば、分散型基地局において、配置されてもよい。
【０２４５】
ＢＢＵ１４０２は、基地局の制御センターであり、あるいは、処理ユニットと呼ばれることがあり、主に、チャネル符号化、多重化、変調、及びスペクトル拡散などのベースバンド処理機能を達成するよう構成される。例えば、ＢＢＵ（決定ユニット）１４０２は、上記の方法７００又は８００の実施形態におけるネットワークデバイスに関連した動作プロシージャを実行するように基地局１４００を制御するよう構成されてよい。
【０２４６】
例において、ＢＢＵ１４０２は、１つ以上のボードを含んでよく、複数のボードは、単一のアクセス標準の無線アクセスネットワーク（例えば、ＬＴＥシステム又はＮＲシステム）を一緒にサポートするか、あるいは、異なるアクセス標準の無線アクセスネットワークを別々にサポートしてもよい。ＢＢＵ１４０２は、メモリ１４０５及びプロセッサ１４０６を更に含む。メモリ１４０５は、必要な命令及び必要なデータを記憶するよう構成される。例えば、メモリ１４０５は、上記の実施形態におけるコードブックなどを記憶している。プロセッサ１４０６は、必要な動作を実行するように基地局を制御し、例えば、上記の方法の実施形態におけるネットワークデバイスに関連した動作プロシージャを実行するように基地局を制御する、よう構成される。メモリ１４０５及びプロセッサ１４０６は、１つ以上のボードをサービングしてよい。すなわち、メモリ及びプロセッサが各ボードに別々に配置されてよい。代替的に、複数のボードが同じメモリ及び同じプロセッサを共有してもよい。加えて、各ボードは、必要な回路を更に設けられてもよい。
【０２４７】
可能な実施において、システム・オン・チップ（System-on-chip，ＳｏＣ）技術の発展とともに、コンポーネント１４０２及び１４０１の全部又は一部の機能は、ＳｏＣ技術を使用することによって実装され、例えば、１つ以上の基地局機能チップを使用することによって実装されてよい。基地局機能チップは、プロセッサ、メモリ、及びアンテナポートなどのコンポーネントを組み込む。基地局に関連した機能のプログラムはメモリに記憶されている。プロセッサは、基地局に関連した機能を実装するようプログラムを実行する。任意に、基地局機能チップはまた、基地局に関連した機能を実装するようチップ外のメモリを読み出すこともできる。
【０２４８】
図１４に示される基地局の構造は、可能性がある形態に過ぎず、本願のこの実施形態に対して如何なる制限も構成すべきではない、ことが理解されるべきである。本願において、将来的に他の形態での基地局構造が存在し得る可能性は、除外されない。
【０２４９】
本願の実施形態で提供される方法に従って、本願の実施形態は、通信システムを更に提供する。システムは、上記のネットワークデバイス及び１つ以上の端末デバイスを含む。
【０２５０】
本願の実施形態において、プロセッサは、中央演算処理装置（central  processing  unit，ＣＰＵ）であってよく、あるいは、他の汎用のプロセッサ、デジタル信号プロセッサ（digital  signal  processor，ＤＳＰ）、特定用途向け集積回路（application  specific  integrated  circuit，ＡＳＩＣ）、フィールド・プログラマブル・ゲート・アレイ（field  programmable  gate  array，ＦＰＧＡ）若しくは他のプログラム可能な論理デバイス、ディスクリートゲート若しくはトランジスタ論理デバイス、ディスクリートハードウェア部品、などであってもよい、ことが理解されるべきである。汎用のプロセッサは、マイクロプロセッサであってよく、あるいは、プロセッサは、如何なる従来のプロセッサなどであってもよい。
【０２５１】
本願の実施形態におけるメモリは、一時メモリ又は非一時メモリであってよく、あるいは、一時メモリ及び非一時メモリの両方を含んでもよい、ことが更に理解されるべきである。非一時メモリは、リード・オンリー・メモリ（read-only  memory，ＲＯＭ）、プログラム可能リード・オンリー・メモリ（programmable  ROM，ＰＲＯＭ）、消去可能なプログラム可能リード・オンリー・メモリ（erasable  PROM，ＥＰＲＯＭ）、電気的消去可能なプログラム可能リード・オンリー・メモリ（electrically  EPROM，ＥＥＰＲＯＭ）、又はフラッシュメモリであってよい。一時メモリは、外部キャッシュとして使用されるランダム・アクセス・メモリ（random  access  memory，ＲＡＭ）であってよい。例えば、制限なしに、ランダム・アクセス・メモリ（random  access  memory，ＲＡＭ）の多くの形態が利用可能であり、例えば、静的ランダム・アクセス・メモリ（static  RAM，ＳＲＡＭ）、動的ランダム・アクセス・メモリ（dynamic  random  access  memory，ＤＲＡＭ）、同期型動的ランダム・アクセス・メモリ（synchronous  DRAM，ＳＤＲＡＭ）、ダブル・データ・レート同期型動的ランダム・アクセス・メモリ（double  data  rate  SDRAM，ＤＤＲ  ＳＤＲＡＭ）、エンハンスド同期型動的ランダム・アクセス・メモリ（enhanced  SDRAM，ＥＳＤＲＡＭ）、同期リンク型動的ランダム・アクセス・メモリ（synchlink  DRAM，ＳＬＤＲＡＭ）、及び直接ラムバス型ランダム・アクセス・メモリ（direct  rambus  RAM，ＤＲ  ＲＡＭ）がある。
【０２５２】
本願の実施形態で提供される方法に従って、本願は、コンピュータプログラム製品を更に提供し、コンピュータプログラム製品は、コンピュータプログラムコードを含む。コンピュータプログラムコードがコンピュータで実行されるとき、コンピュータは、図７又は図８に示される実施形態における方法を実行することを可能にされる。
【０２５３】
本願の実施形態で提供される方法に従って、本願は、コンピュータ可読媒体を更に提供し、コンピュータ可読媒体は、プログラムコードを記憶している。プログラムコードがコンピュータで実行されるとき、コンピュータは、図７又は図８に示される実施形態における方法を実行することを可能にされる。
【０２５４】
本願の実施形態で提供される方法に従って、本願はシステムを更に提供する。システムは、上記のネットワークデバイス及び１つ以上の端末デバイスを含む。上記の実施形態の全部又は一部は、ソフトウェア、ハードウェア、ファームウェア、又はそれらの任意の組み合わせによって実装されてよい。ソフトウェアが実施形態を実装するために使用されるとき、上記の実施形態は、完全に又は部分的にコンピュータプログラム製品の形で実装されてよい。コンピュータプログラム製品は、１つ以上のコンピュータ命令を含む。コンピュータプログラム命令がコンピュータでロードされ実行されるとき、本願の実施形態に従うプロシージャ又は機能は、全部が、又は部分的に生成される。コンピュータは、汎用のコンピュータ、専用のコンピュータ、コンピュータネットワーク、又は他のプログラム可能な装置であってよい。コンピュータ命令は、コンピュータ可読記憶媒体に記憶されてよく、あるいは、１つのコンピュータ可読記憶媒体から他のコンピュータ可読記憶媒体へ伝えられてもよい。例えば、コンピュータ命令は、１つのウェブサイト、コンピュータ、サーバ、又はデータセンターから他のウェブサイト、コンピュータ、サーバ、又はデータセンターへ有線（例えば、赤外線、電波、又はマイクロ波）で伝えられてよい。コンピュータ可読記憶媒体は、コンピュータによってアクセス可能な如何なる有用な媒体であってもあるいは、１つ以上の有用な媒体の組を含むサーバ又はデータセンターなどのデータ記憶デバイスであってもよい。有用な媒体は、磁気媒体（例えば、フロッピーディスク、ハードディスク、若しくは磁気テープ）、光学媒体（例えば、ＤＶＤ）、又は半導体媒体であってよい。半導体媒体は、ソリッド・ステート・ドライブであってよい。
【０２５５】
当業者であれば、本明細書で開示されている実施形態を参照して記載されている例におけるユニット及びアルゴリズムステップは、電子ハードウェア又はコンピュータソフトウェアと電子ハードウェアとの組み合わせによって実装され得る、と気づき得る。機能がハードウェア又はソフトウェアによって実行されるかどうかは、技術的解決法の特定の用途及び設計制約に依存する。当業者は、記載されている機能を特定の用途ごとに実装するために種々の方法を使用し得るが、実施が本願の範囲を超えることは考えられるべきではない。
【０２５６】
当業者に明らかなように、便宜上、かつ、簡潔な記載のために、記載されるシステム、装置、及びユニットの詳細な作動プロセスについては、上記の方法の実施形態における対応するプロセスを参照されたい。詳細はここで再び記載されない。
【０２５７】
本願で与えられているいくつかの実施形態で、開示されているシステム、装置、及び方法は他の様態で実施されてもよい、ことが理解されるべきである。例えば、記載されている装置の実施形態は、一例に過ぎない。例えば、ユニット分割は、単に、論理的な機能分割であり、実際の実施では他の分割であってもよい。例えば、複数のユニット又はコンポーネントは、他のシステムに結合又は一体化されてよく、あるいは、いくつかの機能は無視されるか又は実行されなくてもよい。その上、表示又は言及されている相互結合又は直接的な結合若しくは通信接続は、いくつかのインターフェースを使用することによって実施されてよい。装置又はユニット間の間接的な結合又は通信接続は、電気的な形式、機械的な形式、又は他の形式で実施されてよい。
【０２５８】
別個の部分として記載されているユニットは、物理的に分離していてもいなくてもよく、ユニットとして表されている部分は、物理的なユニットであってもなくてもよく、すなわち、１つの場所に位置しても、あるいは、複数のネットワークユニットに分散していてもよい。ユニットの一部又は全部は、実施形態の解決法の目的を達成するように実際のニーズに応じて選択されてよい。
【０２５９】
加えて、本願の実施形態における機能ユニットは、１つの処理ユニットに一体化されてよく、あるいは、ユニットの夫々は、物理的に単独で存在してもよく、あるいは、２つ以上のユニットが１つのユニットにまとめられる。
【０２６０】
機能がソフトウェア機能ユニットの形で実施され、独立した製品として販売又は使用されるとき、機能はコンピュータ可読記憶媒体に記憶されてよい。そのような理解に従って、本願の技術的解決法は本質的に、あるいは、先行技術に寄与する部分、又は技術的解決法のいくつかは、ソフトウェア製品の形で実施されてよい。コンピュータソフトウェア製品は、記憶媒体に記憶され、本願の実施形態で記載されている方法のステップの全部又は一部を実行するようにコンピュータデバイス（パーソナルコンピュータ、サーバ、又はネットワークデバイスであってよい）に指示するいくつかの命令を含む。記憶媒体は、ＵＳＢフラッシュドライブ、リムーバブル・ハード・ディスク、リード・オンリー・メモリ（read-only  memory，ＲＯＭ）、ランダム・アクセス・メモリ（random  access  memory，ＲＡＭ）、磁気ディスク、又は光学ディスクなどの、プログラムコードを記憶することができる如何なる媒体も含む。
【０２６１】
上記の説明は、本願の具体的な実施にすぎず、本願の保護範囲を制限する意図はない。本願で開示されている技術範囲内で当業者によって容易に想到される如何なる変形又は置換も、本願の保護範囲内にあるべきである。従って、本願の保護範囲は、特許請求の範囲の保護範囲に従うべきである。
【０２６２】
本願は、２０１８年２月１３日付けで「COMMUNICATIONS  METHOD  AND  APPRATUS」と題されて中国特許庁に出願された中国特許出願第２０１８１０１５０６２５．４号の優先権を主張する。なお、先の出願は、その全文を参照により本願に援用される。
【図１】
2021513275.tif 000031
【図２】
2021513275.tif 000032
【図３】
2021513275.tif 000033
【図４】
2021513275.tif 000034
【図５】
2021513275.tif 000035
【図６】
2021513275.tif 000036
【図７】
2021513275.tif 000037
【図８】
2021513275.tif 000038
【図９】
2021513275.tif 000039
【図１０】
2021513275.tif 000040
【図１１】
2021513275.tif 000041
【図１２】
2021513275.tif 000042
【図１３】
2021513275.tif 000043
【図１４】
2021513275.tif 000044
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
アップリンク制御情報（ＵＣＩ）がアップリンクデータなしで物理アップリンク共有チャネルで送信されるべきであるときに、変調及び符号化スキーム（ＭＣＳ）識別子に従って閾符号レートを決定することと、
前記閾符号レートと、前記ＵＣＩの生成されたビットの数とに従って、送信されるべきＵＣＩのビットの数を決定することであり、該送信されるべきＵＣＩのビットの数は前記ＵＣＩの前記生成されたビットの数以下である、ことと、
前記物理アップリンク共有チャネルで前記送信されるべきＵＣＩを送信することと
を有する通信方法。
【請求項２】
前記ＭＣＳ識別子に従って閾符号レートを決定することは、
前記ＭＣＳ識別子が第１範囲内にあるときに、前記ＭＣＳ識別子と、該ＭＣＳ識別子と第１符号レートとの間の予め定義された一対一対応とに従って、前記第１符号レートを決定することと、
前記第１符号レートを前記閾符号レートとして決定すること、又は
前記第１符号レート及びオフセットβに従って前記閾符号レートを決定することであり、前記オフセットβは１以上である、ことと
を有する、
請求項１に記載の通信方法。
【請求項３】
前記第１範囲は、０以上２８未満である、
請求項２に記載の通信方法。
【請求項４】
前記ＭＣＳ識別子に従って閾符号レートを決定することは、
前記ＭＳＣ識別子が第２範囲内にあるときに、前記ＭＣＳ識別子に従って変調次数を決定し、該変調次数と第１符号レートとの間の対応に従って前記第１符号レートを決定することと、
前記第１符号レートを前記閾符号レートとして決定すること、又は
前記第１符号レート及びオフセットβに従って前記閾符号レートを決定することであり、前記オフセットβは１以上である、ことと
を有する、
請求項１に記載の通信方法。
【請求項５】
前記変調次数と第１符号レートとの間の対応に従って前記第１符号レートを決定することは、
前記変調次数が複数の第１符号レートに対応するときに、該複数の第１符号レートの中の最大符号レートを前記第１符号レートとして決定すること、又は
前記変調次数が複数の第１符号レートに対応するときに、該複数の第１符号レートの中の最小符号レートを前記第１符号レートとして決定すること、又は
前記変調次数が複数の第１符号レートに対応するときに、第１指示情報に従って前記第１符号レートを決定すること
を有する、
請求項４に記載の通信方法。
【請求項６】
前記ＭＣＳ識別子に従って閾符号レートを決定することは、
前記ＭＣＳ識別子が第２範囲内にあるときに、前記ＭＣＳ識別子と、該ＭＣＳ識別子と第１符号レートとの間の予め定義された一対一対応とに従って、前記第１符号レートを決定することと、
前記第１符号レートを前記閾符号レートとして決定すること、又は
前記第１符号レート及びオフセットβに従って前記閾符号レートを決定することであり、前記オフセットβは１以上である、ことと
を有する、
請求項１に記載の通信方法。
【請求項７】
前記第２範囲は、２８以上である、
請求項４乃至６のうちいずれか一項に記載の通信方法。
【請求項８】
当該方法は、第２指示情報を受信することを更に有し、該第２指示情報は、アップリンクデータが前記物理アップリンク共有チャネルで送信されるべきでないことを示す、
請求項１乃至７のうちいずれか一項に記載の通信方法。
【請求項９】
前記第２指示情報は、指示フィールドを有し、該指示フィールドは、アップリンクデータが前記物理アップリンク共有チャネルで送信されるべきでないことを示すよう０にセットされる、
請求項８に記載の通信方法。
【請求項１０】
アップリンク制御情報（ＵＣＩ）のみが第１端末デバイスの物理アップリンク共有チャネルで運ばれるべきであるときに、変調及び符号化スキーム（ＭＣＳ）識別子に従って閾符号レートを決定することと、
前記閾符号レートに従って、受信されるべきＵＣＩのビットの数を決定することと、
前記物理アップリンク共有チャネルで前記第１端末デバイスから前記受信されるべきＵＣＩを受信することと
を有する通信方法。
【請求項１１】
前記ＭＣＳ識別子に従って閾符号レートを決定することは、
前記ＭＣＳ識別子が第１範囲内にあるときに、前記ＭＣＳ識別子と、該ＭＣＳ識別子と第１符号レートとの間の予め定義された一対一対応とに従って、前記第１符号レートを決定することと、
前記第１符号レートを前記閾符号レートとして決定すること、又は
前記第１符号レート及びオフセットβに従って前記閾符号レートを決定することであり、前記オフセットβは１以上である、ことと
を有する、
請求項１０に記載の通信方法。
【請求項１２】
前記第１範囲は、０以上２８未満である、
請求項１１に記載の通信方法。
【請求項１３】
前記ＭＣＳ識別子に従って閾符号レートを決定することは、
前記ＭＳＣ識別子が第２範囲内にあるときに、前記ＭＣＳ識別子に従って変調次数を決定し、該変調次数と第１符号レートとの間の対応に従って前記第１符号レートを決定することと、
前記第１符号レートを前記閾符号レートとして決定すること、又は
前記第１符号レート及びオフセットβに従って前記閾符号レートを決定することであり、前記オフセットβは１以上である、ことと
を有する、
請求項１０に記載の通信方法。
【請求項１４】
前記変調次数と第１符号レートとの間の対応に従って前記第１符号レートを決定することは、
前記変調次数が複数の第１符号レートに対応するときに、該複数の第１符号レートの中の最大符号レートを前記第１符号レートとして決定すること、又は
前記変調次数が複数の第１符号レートに対応するときに、該複数の第１符号レートの中の最小符号レートを前記第１符号レートとして決定すること、又は
前記変調次数が複数の第１符号レートに対応するときに、第１指示情報に従って前記第１符号レートを決定すること
を有する、
請求項１３に記載の通信方法。
【請求項１５】
前記ＭＣＳ識別子に従って閾符号レートを決定することは、
前記ＭＣＳ識別子が第２範囲内にあるときに、前記ＭＣＳ識別子と、該ＭＣＳ識別子と第１符号レートとの間の予め定義された一対一対応とに従って、前記第１符号レートを決定することと、
前記第１符号レートを前記閾符号レートとして決定すること、又は
前記第１符号レート及びオフセットβに従って前記閾符号レートを決定することであり、前記オフセットβは１以上である、ことと
を有する、
請求項１０に記載の通信方法。
【請求項１６】
前記第２範囲は、２８以上である、
請求項１３乃至１５のうちいずれか一項に記載の通信方法。
【請求項１７】
当該方法は、第２指示情報を送信することを更に有し、該第２指示情報は、アップリンクデータが前記物理アップリンク共有チャネルで運ばれるべきでないことを示す、
請求項１０乃至１６のうちいずれか一項に記載の通信方法。
【請求項１８】
前記第２指示情報は、指示フィールドを有し、該指示フィールドは、アップリンクデータが前記物理アップリンク共有チャネルで運ばれるべきでないことを示すよう０にセットされる、
請求項１７に記載の通信方法。
【請求項１９】
通信装置であって、
プロセッサを有し、該プロセッサはメモリへ結合され、該メモリは、プログラム又は命令を記憶するよう構成され、該プログラム又は命令は、該プログラム又は命令が前記プロセッサによって実行される場合に、当該通信装置に、請求項１乃至９のうちいずれか一項に記載の通信方法を実行させる、
通信装置。
【請求項２０】
前記プログラム又は命令及びデータを記憶するよう構成される前記メモリを更に有する、
請求項１９に記載の通信装置。
【請求項２１】
コンピュータ可読記憶媒体であって、
当該コンピュータ可読記憶媒体にはコンピュータプログラム又は命令が記憶されており、該コンピュータプログラム又は命令は、該コンピュータプログラム又は命令がコンピュータによって実行される場合に、該コンピュータに、請求項１乃至９のうちいずれか一項又は請求項１０乃至１８のうちいずれか一項に記載の通信方法を実行させる、
コンピュータ可読記憶媒体。
【請求項２２】
通信装置であって、
プロセッサを有し、該プロセッサはメモリへ結合され、該メモリは、プログラム又は命令を記憶するよう構成され、該プログラム又は命令は、該プログラム又は命令が前記プロセッサによって実行される場合に、当該通信装置に、請求項９乃至１８のうちいずれか一項に記載の通信方法を実行させる、
通信装置。
【請求項２３】
前記プログラム又は命令及びデータを記憶するよう構成される前記メモリを更に有する、
請求項２２に記載の装置。
【請求項２４】
決定モジュール及びトランシーバモジュールを有し、
前記決定モジュールは、アップリンク制御情報（ＵＣＩ）がアップリンクデータなしで物理アップリンク共有チャネルで送信されるべきであるときに、変調及び符号化スキーム（ＭＣＳ）識別子に従って閾符号レートを決定し、該閾符号レートと、前記ＵＣＩの生成されたビットの数とに従って、送信されるべきＵＣＩのビットの数を決定するよう構成され、前記送信されるべきＵＣＩのビットの数は、前記ＵＣＩの前記生成されたビットの数以下であり、
前記トランシーバモジュールは、前記物理アップリンク共有チャネルで前記送信されるべきＵＣＩを送信するよう構成される、
通信装置。
【請求項２５】
決定モジュール及びトランシーバモジュールを有し、
前記決定モジュールは、アップリンク制御情報（ＵＣＩ）のみが第１端末デバイスの物理アップリンク共有チャネルで運ばれるべきであるときに、変調及び符号化スキーム（ＭＣＳ）識別子に従って閾符号レートを決定し、該閾符号レートに従って、受信されるべきＵＣＩのビットの数を決定するよう構成され、
前記トランシーバモジュールは、前記物理アップリンク共有チャネルで前記第１端末デバイスから前記受信されるべきＵＣＩを受信するよう構成される、
通信装置。
【請求項２６】
請求項１乃至１８のうちいずれか一項に記載の通信方法を実行するよう構成される通信装置。
【請求項２７】
請求項１乃至１８のうちいずれか一項に記載の通信方法をコンピュータに実行させるプログラム。
【手続補正２】
【補正対象書類名】明細書
【補正対象項目名】００４０
【補正方法】変更
【補正の内容】
【００４０】
第１２の態様に従って、チップシステムが提供される。チップシステムは、上記の態様における機能、例えば、上記の方法においてデータ及び／又は情報を生成、受信、決定、送信、又は処理すること、を実装するようにネットワークデバイスをサポートするよう構成されるプロセッサを含む。可能な設計において、チップシステムは、メモリを更に含み、メモリは、ネットワークデバイスにとって必要であるプログラム命令及びデータを記憶するよう構成される。チップシステムは、チップを含んでよく、あるいは、チップ及び他のディスクリートデバイスを含んでもよい。
【手続補正３】
【補正対象書類名】明細書
【補正対象項目名】００５９
【補正方法】変更
【補正の内容】
【００５９】
３．ダウンリンク制御情報（downlink  control  information，ＤＣＩ）：ダウンリンク制御情報は、ダウンリンクスケジューリング割り当て情報を送るために主に使用され、ＤＣＩフォーマット１／１Ａ／１Ｂ／１Ｃ／１Ｄ／２／２Ａ／２Ｂ／２Ｃを含む複数の異なるフォーマットを有する。
【手続補正４】
【補正対象書類名】明細書
【補正対象項目名】０１１０
【補正方法】変更
【補正の内容】
【０１１０】
表１中、第１の列における３２個のとり得るＭＣＳ識別子に対応して、第２の列は変調次数を提供する。１は、２位相偏移キーイング変調法（Binary  Phase  Shift  Keying，ＢＰＳＫ）に対応し、２は、４位相偏移キーイング変調法ＱＰＳＫに対応し、４は、１６直交振幅変調法（Quadrature  Amplitude  Modulation，１６ＱＡＭ）に対応し、６は、６４直交振幅変調法（Quadrature  Amplitude  Modulation，６４ＱＡＭ）に対応する。第３の列は、対応する符号レート、すなわち、ＣＭＣＳを提供する。この表中、行２８、２９、３０、及び３１は、ユーザ装置によって現在送信されているデータが再送データであることを示すために使用される。表の主な機能は、ＵＥが、示されているＭＣＳ及び符号レートを使用することによってトランスポート・ブロックのサイズを決定することを可能にすることである。再送データのトランスポート・ブロックのサイズは、最初に送信されたデータのそれと同じであるから、対応する符号レートは表中に定義されていない。
【表１】
2021513275.tif 000045
【手続補正５】
【補正対象書類名】明細書
【補正対象項目名】０１６８
【補正方法】変更
【補正の内容】
【０１６８】
他の可能な式では、αが導入される。αは、１以下の数であり、次（１３−ｆ）のように、異なるＵＣＩごとに異なる値が使用されてよい：
【数１０】
2021513275.tif 000046
【手続補正６】
【補正対象書類名】明細書
【補正対象項目名】０１８７
【補正方法】変更
【補正の内容】
【０１８７】
先に挙げられている、第３指示情報を運ぶシグナリングと、第３指示情報を運ぶフィールドと、上記の列挙フィールドを使用することによって、アップリンク制御情報のみが物理アップリンクチャネルで送信されるべきであるかどうかを示す具体的な方法とは、説明のための例に過ぎず、本願に対する如何なる制限も構成すべきでない、ことが理解されるべきである。例えば、第３指示情報は、代替的に、他の既存のフィールドを使用することによって示されてもよい。これは本願で制限されない。
【手続補正７】
【補正対象書類名】明細書
【補正対象項目名】０２１０
【補正方法】変更
【補正の内容】
【０２１０】
具体的に、通信装置９００は、本願の実施形態における通信方法８００での端末デバイスに対応してよい。通信装置９００は、図８の通信方法８００で端末デバイスによって実行される方法を実行するよう構成されたモジュールを含んでよい。その上、通信装置９００内のモジュール並びに上記の他の動作及び／又は機能は別々に、図８の通信方法８００の対応するプロシージャを実装すべきである。具体的に、決定ユニット９１０は、方法のステップ８２０を実行するよう構成され、トランシーバユニット９２０は、方法８００のステップ８１０、ステップ８３０、又はステップ８４０を実行するよう構成される。各ユニットが上記の対応するステップを実行する具体的なプロセスは、方法８００において詳細に記載されている。簡潔さのために、詳細はここで再び記載されない。
【手続補正８】
【補正対象書類名】明細書
【補正対象項目名】０２２４
【補正方法】変更
【補正の内容】
【０２２４】
具体的に、通信装置１０００は、本願の実施形態における通信方法８００でのネットワークデバイスに対応してよい。通信装置１０００は、図８の通信方法８００でネットワークデバイスによって実行される方法を実行するよう構成されたモジュールを含んでよい。その上、通信装置１０００内のモジュール並びに上記の他の動作及び／又は機能は別々に、図８の通信方法８００の対応するプロシージャを実装すべきである。具体的に、決定ユニット１０１０は、方法８００のステップ８２０を実行するよう構成され、トランシーバユニット１０２０は、方法８００のステップ８１０、ステップ８３０、又はステップ８４０を実行するよう構成される。各ユニットが上記の対応するステップを実行する具体的なプロセスは、方法８００において詳細に記載されている。簡潔さのために、詳細はここで再び記載されない。
【手続補正９】
【補正対象書類名】明細書
【補正対象項目名】０２２８
【補正方法】変更
【補正の内容】
【０２２８】
端末デバイス１１００は、アンテナ１１４０を更に含んでよく、アンテナ１１４０は、無線信号を使用することによって、トランシーバ１１２０によって出力されるアップリンクデータ又はアップリンク制御シグナリングを送信するよう構成される。
【手続補正１０】
【補正対象書類名】明細書
【補正対象項目名】０２３０
【補正方法】変更
【補正の内容】
【０２３０】
代替的に、端末デバイス１１００は、本願の実施形態における通信方法８００での端末デバイスに対応してよい。端末デバイス１１００は、図８の通信方法８００で端末デバイスによって実行される方法を実行するよう構成されたモジュールを含んでよい。その上、端末デバイス１１００内のモジュール並びに上記の他の動作及び／又は機能は別々に、図８の通信方法８００の対応するプロシージャを実装すべきである。具体的に、メモリ１１３０は、プロセッサ１１１０が、プログラムコードを実行するときに、方法８００のステップ８２０を実行し、かつ、アンテナ１１４０を使用することによって方法８００のステップ８１０、ステップ８３０、又はステップ８４０を実行するようにトランシーバ１１２０を制御するように、プログラムコードを記憶するよう構成される。各モジュールによって上記の対応するステップを実行する具体的なプロセスは、方法８００において詳細に記載されている。簡潔さのために、詳細はここで再び記載されない。
【手続補正１１】
【補正対象書類名】明細書
【補正対象項目名】０２３１
【補正方法】変更
【補正の内容】
【０２３１】
図１２は、本願の実施形態に従う端末デバイス１２００の略構造図である。図１２に示されるように、端末デバイス１２００は、プロセッサ１２０１及びトランシーバ１２０２を含む。任意に、端末デバイス１２００は、メモリ１２０３を更に含む。プロセッサ１２０１、トランシーバ１２０２、及びメモリ１２０３は、制御信号及び／又はデータ信号を伝送するために内部接続チャネルを通じて互いと通信する。メモリ１２０３は、コンピュータプログラムを記憶するよう構成される。プロセッサ１２０１は、メモリ１２０３からコンピュータプログラムを呼び出し、コンピュータプログラム実行して、信号を受信及び送信するようにトランシーバ１２０２を制御するよう構成される。
【手続補正１２】
【補正対象書類名】明細書
【補正対象項目名】０２３４
【補正方法】変更
【補正の内容】
【０２３４】
代替的に、端末デバイス１２００は、本願の実施形態における通信方法８００での端末デバイスに対応してよい。端末デバイス１２００は、図８の通信方法８００で端末デバイスによって実行されるよう方法を実行するよう構成されたモジュールを含んでよい。その上、通信装置１２００内のモジュール並びに上記の他の動作及び／又は機能は別々に、図８の通信方法８００の対応するプロシージャを実装すべきである。具体的に、メモリ１２０３は、プロセッサ１２０１が、プログラムコードを実行するときに、方法８００のステップ８２０を実行し、かつ、方法８００のステップ８１０、ステップ８３０又はステップ８４０を実行するようにトランシーバ１２０２を制御するように、プログラムコードを記憶するよう構成される。各モジュールによって上記の対応するステップを実行する具体的なプロセスは、方法８００において詳細に記載されている。簡潔さのために、詳細はここで再び記載されない。
【手続補正１３】
【補正対象書類名】明細書
【補正対象項目名】０２４１
【補正方法】変更
【補正の内容】
【０２４１】
ネットワークデバイス１３００は、アンテナ１３４０を更に含んでよく、アンテナ１３４０は、無線信号を使用することによって、トランシーバ１３２０によって出力されるダウンリンクデータ又はダウンリンク制御シグナリングを送信するよう構成される。
【手続補正１４】
【補正対象書類名】明細書
【補正対象項目名】０２４３
【補正方法】変更
【補正の内容】
【０２４３】
代替的に、ネットワークデバイス１３００は、本願の実施形態における通信方法８００でのネットワークデバイスに対応してよい。ネットワークデバイス１３００は、図８の通信方法８００でネットワークデバイスによって実行される方法を実行するよう構成されたモジュールを含んでよい。その上、端末デバイス１３００内のモジュール並びに上記の他の動作及び／又は機能は別々に、図８の通信方法８００の対応するプロシージャを実装すべきである。具体的に、メモリ１３３０は、プロセッサ１３１０が、プログラムコードを実行するときに、方法８００のステップ８２０を実行し、かつ、アンテナ１３４０を使用することによって方法８００のステップ８１０、ステップ８３０、又はステップ８４０を実行するようにトランシーバ１３２０を制御するように、プログラムコードを記憶するよう構成される。各モジュールによって上記の対応するステップを実行する具体的なプロセスは、方法８００において詳細に記載されている。簡潔さのために、詳細はここで再び記載されない。
【国際調査報告】
2021513275.tif 000047
2021513275.tif 000048
2021513275.tif 000049
2021513275.tif 000050
2021513275.tif 000051
2021513275.tif 000052